(57)【特許請求の範囲】
【請求項１】
復号の対象となる復号対象候補によって定義されるサーチスペースで送信された制御チャネルを受信する受信手段と、
前記制御チャネルを復号する復号手段と、
を具備し、
第１の領域及び第２の領域で前記復号対象候補を復号するように設定された場合に、前記第１の領域にサーチスペースを設定する第１設定ルール又は前記第２の領域にサーチスペースを設定する第２設定ルールに従って、前記サーチスペースが設定され、
前記第１の領域のみで前記復号対象候補を復号するように設定された場合に、前記第１の領域のみにサーチスペースを設定する第３設定ルールに従って、前記サーチスペースが設定され、
前記第１の領域は、システム帯域に渡って設定され、前記第２の領域は、端末に特定の帯域で設定され、
前記第１設定ルールと前記第２設定ルールとにおいて、前記制御チャネルが送信されるコントロール・チャネル・エレメント（ＣＣＥ）の連結数と前記復号対象候補の数との対応付けが異なり、
前記第１設定ルールと前記第３設定ルールとにおいて、前記制御チャネルが送信されるＣＣＥの連結数と前記復号対象候補の数との対応付けが異なる、
端末装置。
【請求項２】
前記第２設定ルールにおける前記連結数が１の場合の前記復号対象候補の数又は２の場合の前記復号対象候補の数は、前記第１設定ルールにおける前記連結数が１の場合の前記復号対象候補の数又は２の場合の前記復号対象候補の数よりも多い、
請求項１に記載の端末装置。
【請求項３】
前記第２設定ルールにおける前記連結数が４の場合の前記復号対象候補の数又は８の場合の前記復号対象候補の数は、前記第１設定ルールにおける前記連結数が４の場合の前記復号対象候補の数又は８の場合の前記復号対象候補の数よりも少ない、
請求項１又は２に記載の端末装置。
【請求項４】
前記第１設定ルールにおける前記連結数が１の場合の前記復号対象候補の数又は２の場合の前記復号対象候補の数は、前記第３設定ルールにおける前記連結数が１の場合の前記復号対象候補の数又は２の場合の前記復号対象候補の数よりも少ない、
請求項１から３のいずれかに記載の端末装置。
【請求項５】
前記第１設定ルールにおける前記復号対象候補の総数と前記第２設定ルールにおける前記復号対象候補の総数との和は、前記第３設定ルールにおける前記復号対象候補の総数と同じである、
請求項１から４のいずれかに記載の端末装置。
【請求項６】
前記第１の領域は、１サブフレームの第１シンボルから第３シンボルに設定され、前記第２の領域は、１サブフレームの第４シンボル以降に設定される、
請求項１から５のいずれかに記載の端末装置。
【請求項７】
前記第２の領域におけるＣＣＥを構成するリソース・エレメント数は、前記第１の領域におけるＣＣＥを構成するリソース・エレメント数よりも、少ない、
請求項１から６のいずれかに記載の端末装置。
【請求項８】
復号の対象となる復号対象候補によって定義されるサーチスペースで送信された制御チャネルを受信する受信工程と、
前記制御チャネルを復号する復号工程と、
を具備し、
第１の領域及び第２の領域で前記復号対象候補を復号するように設定された場合に、前記第１の領域にサーチスペースを設定する第１設定ルール又は前記第２の領域にサーチスペースを設定する第２設定ルールに従って、前記サーチスペースが設定され、
前記第１の領域のみで前記復号対象候補を復号するように設定された場合に、前記第１の領域のみにサーチスペースを設定する第３設定ルールに従って、前記サーチスペースが設定され、
前記第１の領域は、システム帯域に渡って設定され、前記第２の領域は、端末に特定の帯域で設定され、
前記第１設定ルールと前記第２設定ルールとにおいて、前記制御チャネルが送信されるコントロール・チャネル・エレメント（ＣＣＥ）の連結数と前記復号対象候補の数との対応付けが異なり、
前記第１設定ルールと前記第３設定ルールとにおいて、前記制御チャネルが送信されるＣＣＥの連結数と前記復号対象候補の数との対応付けが異なる、
復号方法。
【請求項９】
前記第２設定ルールにおける前記連結数が１の場合の前記復号対象候補の数又は２の場合の前記復号対象候補の数は、前記第１設定ルールにおける前記連結数が１の場合の前記復号対象候補の数又は２の場合の前記復号対象候補の数よりも多い、
請求項８に記載の復号方法。
【請求項１０】
前記第２設定ルールにおける前記連結数が４の場合の前記復号対象候補の数又は８の場合の前記復号対象候補の数は、前記第１設定ルールにおける前記連結数が４の場合の前記復号対象候補の数又は８の場合の前記復号対象候補の数よりも少ない、
請求項８又は９に記載の復号方法。
【請求項１１】
前記第１設定ルールにおける前記連結数が１の場合の前記復号対象候補の数又は２の場合の前記復号対象候補の数は、前記第３設定ルールにおける前記連結数が１の場合の前記復号対象候補の数又は２の場合の前記復号対象候補の数よりも少ない、
請求項８から１０のいずれかに記載の復号方法。
【請求項１２】
前記第１設定ルールにおける前記復号対象候補の総数と前記第２設定ルールにおける前記復号対象候補の総数との和は、前記第３設定ルールにおける前記復号対象候補の総数と同じである、
請求項８から１１のいずれかに記載の復号方法。
【請求項１３】
前記第１の領域は、１サブフレームの第１シンボルから第３シンボルに設定され、前記第２の領域は、１サブフレームの第４シンボル以降に設定される、
請求項８から１２のいずれかに記載の復号方法。
【請求項１４】
前記第２の領域におけるＣＣＥを構成するリソース・エレメント数は、前記第１の領域におけるＣＣＥを構成するリソース・エレメント数よりも、少ない、
請求項８から１３のいずれかに記載の復号方法。
【請求項１５】
復号の対象となる復号対象候補によって定義されるサーチスペースで送信された制御チャネルを受信する受信処理と、
前記制御チャネルを復号する復号処理と、
を制御し、
第１の領域及び第２の領域で前記復号対象候補を復号するように設定された場合に、前記第１の領域にサーチスペースを設定する第１設定ルール又は前記第２の領域にサーチスペースを設定する第２設定ルールに従って、前記サーチスペースが設定され、
前記第１の領域のみで前記復号対象候補を復号するように設定された場合に、前記第１の領域のみにサーチスペースを設定する第３設定ルールに従って、前記サーチスペースが設定され、
前記第１の領域は、システム帯域に渡って設定され、前記第２の領域は、端末に特定の帯域で設定され、
前記第１設定ルールと前記第２設定ルールとにおいて、前記制御チャネルが送信されるコントロール・チャネル・エレメント（ＣＣＥ）の連結数と前記復号対象候補の数との対応付けが異なり、
前記第１設定ルールと前記第３設定ルールとにおいて、前記制御チャネルが送信されるＣＣＥの連結数と前記復号対象候補の数との対応付けが異なる、
集積回路。
【発明の詳細な説明】
【技術分野】
【０００１】
本発明は、端末装置、復号方法、及び集積回路に関する。
【背景技術】
【０００２】
３ＧＰＰ−ＬＴＥ(3rd Generation Partnership Project Radio Access Network Long Term Evolution、以下、ＬＴＥという)では、下り回線の通信方式としてＯＦＤＭＡ（Orthogonal Frequency Division Multiple Access）が採用され、上り回線の通信方式としてＳＣ−ＦＤＭＡ（Single Carrier Frequency Division Multiple Access）が採用されている（例えば、非特許文献１、２、３参照）。
【０００３】
ＬＴＥでは、無線通信基地局装置（以下、「基地局」と省略する）はシステム帯域内のリソースブロック（Resource Block：ＲＢ）を、サブフレームと呼ばれる時間単位毎に無線通信端末装置（以下、「端末」と省略する）に割り当てることにより通信を行う。また、基地局は下り回線データおよび上り回線データのリソース割当結果を通知するための割当制御情報（Ｌ１／Ｌ２制御情報）を端末へ送信する。この割当制御情報は例えばＰＤＣＣＨ（Physical Downlink Control Channel）等の下り回線制御チャネルを用いて端末へ送信される。ここで、ＰＤＣＣＨをマッピングするリソース領域は規定されており、図１に示すように、周波数軸方向では、システム帯域幅全体にわたり、時間軸方向では１サブフレームの先頭１ＯＦＤＭシンボルから３ＯＦＤＭシンボルまでの間で可変である。時間軸方向にどのＯＦＤＭシンボルまでＰＤＣＣＨが占めるかを示す信号がＰＣＦＩＣＨ（Physical Control Format Indicator Channel）によって通知される。
【０００４】
また、各ＰＤＣＣＨは１つまたは連続する複数のＣＣＥ（Control Channel Element）で構成されるリソースを占有する。ＰＤＣＣＨでは、１個のＣＣＥが３６個のＲＥ（Resource Element）で構成される。ＬＴＥでは、ＰＤＣＣＨが占有するＣＣＥ数（ＣＣＥ連結数：CCE aggregation levelまたはAggregation level）としては、割当制御情報の情報ビット数または端末の伝搬路状態に応じて、１，２，４，８の中の１つが選択される。なお、ＬＴＥでは、システム帯域幅として最大２０ＭＨｚの幅を持つ周波数帯域がサポートされる。
【０００５】
また、基地局から送信される割当制御情報はＤＣＩ（Downlink Control Information）と呼ばれる。基地局は１サブフレームに複数の端末を割り当てる場合、複数のＤＣＩを同時に送信する。このとき、基地局は、各ＤＣＩの送信先の端末を識別するために、送信先の端末ＩＤでマスキング（または、スクランブリング）したＣＲＣビットをＤＣＩに含めて送信する。そして、端末は、自端末宛ての可能性がある複数のＤＣＩにおいて、自端末の端末ＩＤでＣＲＣビットをデマスキング（または、デスクランブリング）することによりＰＤＣＣＨをブラインド復号（ブラインドデコーディング、Blind decoding）して自端末宛のＤＣＩを検出する。
【０００６】
また、ＤＣＩには、基地局が端末に対して割り当てたリソースの情報（リソース割当情報）およびＭＣＳ（Modulation and channel Coding Scheme）等が含まれる。また、ＤＣＩには、上り回線用、下り回線ＭＩＭＯ（Multiple Input Multiple Output）送信用、下り回線非連続帯域割当用等の複数のフォーマットがある。端末は、複数のフォーマットを有する、下り割当制御情報（下り回線に関する割当制御情報）および上り割当制御情報（上り回線に関する割当制御情報）の両方を受信する必要がある。
【０００７】
例えば、下り割当制御情報には、基地局の送信アンテナ制御方法およびリソース割当方法等により複数のサイズのフォーマットが定義される。その複数のフォーマットのうち、連続帯域割当を行う下り割当制御情報フォーマット（以下、単に「下り割当制御情報」という）と、連続帯域割当を行う上り割当制御情報フォーマット（以下、単に「上り割当制御情報」という）とは同一サイズを有する。これらのフォーマット（ＤＣＩフォーマット）には、割当制御情報の種別（下り割当制御情報または上り割当制御情報）を示す種別情報（例えば、１ビットのフラグ）が含まれる。よって、端末は、下り割当制御情報を示すＤＣＩのサイズと、上り割当制御情報を示すＤＣＩのサイズとが同一であっても、割当制御情報に含まれる種別情報を確認することにより、下り割当制御情報または上り割当制御情報のいずれであるかを特定することができる。
【０００８】
なお、連続帯域割当を行う上り割当制御情報が送信される際のＤＣＩフォーマットは、ＤＣＩ  ｆｏｒｍａｔ０（以下、ＤＣＩ  ０という）と呼ばれ、連続帯域割当を行う下り割当制御情報が送信される際のＤＣＩフォーマットは、ＤＣＩ  ｆｏｒｍａｔ１Ａ（以下、ＤＣＩ  １Ａという）と呼ばれる。なお、上述したようにＤＣＩ  ０およびＤＣＩ  １Ａは、同一サイズであり種別情報によって区別できるので、以下の説明では、ＤＣＩ  ０およびＤＣＩ  １ＡをＤＣＩ  ０／１Ａとまとめて表記する。
【０００９】
また、上記ＤＣＩフォーマット以外にも、下り回線において、非連続帯域割当を行うＤＣＩ  ｆｏｒｍａｔ１（以下、ＤＣＩ  １という）および空間多重ＭＩＭＯ送信を割り当てるＤＣＩ  ｆｏｒｍａｔ２および２Ａ（以下、ＤＣＩ  ２，２Ａという）等がある。ここで、ＤＣＩ  １，２，２Ａは、端末の下り送信モード（非連続帯域割当または空間多重ＭＩＭＯ送信）に依存して使用されるフォーマットであり、端末毎に設定されるフォーマットである。一方、ＤＣＩ  ０／１Ａは、送信モードに依存せず、いずれの送信モードの端末に対しても使用できるフォーマット、つまり、全端末に対して共通に使用されるフォーマットである。また、ＤＣＩ  ０／１Ａが用いられた場合には、デフォルトの送信モードとして１アンテナ送信または送信ダイバーシチが用いられる。
【００１０】
また、端末の回路規模を低減するためにブラインド復号の回数を削減することを目的として、ブラインド復号の対象となるＣＣＥを、端末毎に限定する方法が検討されている。この方法では、各端末によるブラインド復号の対象と成りうるＣＣＥ領域（以下、「サーチスペース（Search Space：ＳＳ）」という）を限定する。ここでは、各端末に割り当てられるＣＣＥ領域の単位（つまり、ブラインド復号する単位に相当）は、「下り制御情報割当領域候補（ＤＣＩ割当領域候補）若しくは下り制御情報割当候補（ＤＣＩ割当候補）」又は「復号対象単位領域候補（若しくは復号対象候補）」と呼ぶ。
【００１１】
ＬＴＥでは、サーチスペースは、端末毎にランダムに設定される。このサーチスペースを構成するＣＣＥ数は、ＰＤＣＣＨのＣＣＥ連結数毎に定義される。例えば、図２に示すように、サーチスペースの構成ＣＣＥの数は、ＰＤＣＣＨのＣＣＥ連結数１，２，４，８それぞれに対応して、６，１２，８，１６となる。この場合、復号対象単位領域候補の数は、ＰＤＣＣＨのＣＣＥ連結数１，２，４，８それぞれに対応して、６候補（６＝６÷１），６候補（６＝１２÷２），２候補（２＝８÷４），２候補（２＝１６÷８）となる（図３参照）。すなわち、復号対象単位領域候補は、合計１６候補に限定される。これにより、各端末は、各サブフレームにおいて自端末に割り当てられたサーチスペース内の復号対象単位領域候補群に対してのみ、ブラインド復号を行えばよいため、ブラインド復号の回数を削減することができる。ここで、各端末のサーチスペースは、各端末の端末ＩＤと、ランダム化を行う関数であるハッシュ（hash）関数とを用いて設定される。この端末特有のＣＣＥ領域は、個別領域（UE specific Search Space：ＵＥ−ＳＳ）と呼ばれる。
【００１２】
一方、ＰＤＣＣＨには、複数の端末に対して同時に通知される、端末共通のデータ割当のための制御情報（例えば、下り報知信号に関する割当情報および呼び出し（Paging）用の信号に関する割当情報）（以下、「共通チャネル向け制御情報」と呼ぶ）も含まれる。共通チャネル向け制御情報を伝送するために、ＰＤＣＣＨには、下り報知信号を受信すべき全端末に共通するＣＣＥ領域（以下、共通領域（Common Search Space：Ｃ−ＳＳ）と呼ぶ）が用いられる。Ｃ−ＳＳには、復号対象単位領域候補が、ＣＣＥ連結数４および８それぞれに対して、４候補（４＝１６÷４），２候補（２＝１６÷８）の合計６候補だけ存在する（図３参照）。
【００１３】
また、端末は、ＵＥ−ＳＳでは、全端末に対して共通に使用されるＤＣＩフォーマット（ＤＣＩ  ０／１Ａ）、および、送信モードに依存したＤＣＩフォーマット（ＤＣＩ  １，２，２Ａから１つ）の２種類のサイズのＤＣＩフォーマットそれぞれについてブラインド復号を行う。例えば、端末は、２種類のサイズのＤＣＩフォーマットに対して、ＵＥ−ＳＳ内でそれぞれ上記１６回のブラインド復号を行う。どの２種類のサイズのＤＣＩフォーマットをブラインド復号するかは、基地局より通知される送信モードに依って決まる。また、端末は、Ｃ−ＳＳでは、通知された送信モードに依らず、共通チャネル割当用フォーマットであるＤＣＩ  ｆｏｒｍａｔ１Ｃ（以下、ＤＣＩ  １Ｃという）およびＤＣＩ  １Ａのそれぞれについて上記６回のブラインド復号（すなわち、合計１２回のブラインド復号）を行う。
【００１４】
ここで、共通チャネル割当に用いられるＤＣＩ  １Ａと端末個別のデータ割当に用いられるＤＣＩ  ０／１Ａとは同一サイズであり、端末ＩＤによりそれぞれが区別される。そのため、基地局は、端末のブラインド復号回数を増やすことなく、端末個別のデータ割当を行うＤＣＩ  ０／１ＡをＣ−ＳＳでも送信することができる。
【００１５】
また、ＬＴＥよりも更なる通信の高速化を実現する３ＧＰＰ  ＬＴＥ−Ａｄｖａｎｃｅｄ（以下、ＬＴＥ−Ａという）の標準化が開始されている。ＬＴＥ−Ａでは、最大１Ｇｂｐｓ以上の下り伝送速度および最大５００Ｍｂｐｓ以上の上り伝送速度を実現するために、４０ＭＨｚ以上の広帯域周波数で通信可能な基地局および端末（以下、ＬＴＥ−Ａ端末という）が導入される見込みである。また、ＬＴＥ−Ａシステムは、ＬＴＥ−Ａ端末のみでなく、ＬＴＥシステムに対応する端末（以下、ＬＴＥ端末という）を収容することが要求されている。
【００１６】
ＬＴＥ−Ａでは、上り回線の送信方法として、非連続帯域割当を用いた送信方法およびＭＩＭＯを用いた送信方法が新たに導入される。これに伴い、新たなＤＣＩフォーマット（例えば、ＤＣＩ  ｆｏｒａｍｔ０Ａ，０Ｂ（以下、ＤＣＩ  ０Ａ，０Ｂという））を定義することが検討されている（例えば、非特許文献４参照）。すなわち、ＤＣＩ  ０Ａ，０Ｂは、上り送信モードに依存するＤＣＩフォーマットである。
【００１７】
上述したように、ＬＴＥ−Ａにおいて、ＵＥ−ＳＳ内で下り送信モードに依存したＤＣＩフォーマット（ＤＣＩ  １，２，２Ａのいずれか）、上り送信モードに依存したＤＣＩフォーマット（ＤＣＩ  ０Ａ，０Ｂのいずれか）、および、送信モードに依らず全端末共通のＤＣＩフォーマット（ＤＣＩ  ０／１Ａ）を用いる場合、端末は、上記３種類のＤＣＩフォーマットのＤＣＩをブラインド復号（モニタ）する。例えば、上述したように、ＵＥ−ＳＳでは１種類のＤＣＩフォーマットあたり１６回のブラインド復号が必要であるため、ＵＥ−ＳＳ内でのブラインド復号回数は合計４８回（＝１６回×３種類）となる。よって、Ｃ−ＳＳ内での２種類のＤＣＩフォーマットに対するブラインド復号回数である１２回（＝６回×２種類）を加えると合計で６０回のブラインド復号が必要となる。
【００１８】
さらに、ＬＴＥ−Ａでは、カバレッジの拡大を達成するために、無線通信中継装置（以下、「中継局」又は「ＲＮ：Ｒｅｌａｙ  Ｎｏｄｅ」という）の導入も規定された（図４参照）。これに伴い、基地局から中継局への下り回線制御チャネル（以下、「Ｒ−ＰＤＣＣＨ」という）に関する標準化が進んでいる（例えば、非特許文献５，６，７，８参照）。現在の段階では、Ｒ−ＰＤＣＣＨに関して、以下の事項が検討されている。図５には、Ｒ−ＰＤＣＣＨ領域の一例が示されている。
（１）Ｒ−ＰＤＣＣＨの時間軸方向のマッピング開始位置は、１サブフレームの先頭から４番目のＯＦＤＭシンボルに固定される。これは、ＰＤＣＣＨが時間軸方向に占める割合に依存しない。
（２）Ｒ−ＰＤＣＣＨの周波数軸方向のマッピング方法としては、distributedとlocalizedの２つの配置方法がサポートされる。
（３）復調用の参照信号として、ＣＲＳ（Common Reference Signal）とＤＭ−ＲＳ（Demodulation Reference Signal）とがサポートされる。どちらの参照信号が使用されるかについては、基地局から中継局へ通知される。
【先行技術文献】
【非特許文献】
【００１９】
【非特許文献１】3GPP TS 36.211 V9.1.0, “Physical Channels and Modulation (Release 9),” March 2010
【非特許文献２】3GPP TS 36.212 V9.2.0, “Multiplexing and channel coding (Release 9),” June 2010
【非特許文献３】3GPP TS 36.213 V9.2.0, “Physical layer procedures (Release 9),” June 2010
【非特許文献４】3GPP TSG RAN WG1 meeting, R1-092641, “PDCCH design for Carrier aggregation and Post Rel-8 feature,”June 2009
【非特許文献５】3GPP TSG RAN WG1 meeting, R1-102700, “Backhaul Control Channel Design in Downlink,” May 2010
【非特許文献６】3GPP TSG RAN WG1 meeting, R1-102881, “R-PDCCH placement,” May 2010
【非特許文献７】3GPP TSG RAN WG1 meeting, R1-103040, “R-PDCCH search space design” May 2010
【非特許文献８】3GPP TSG RAN WG1 meeting, R1-103062, “Supporting frequency diversity and frequency selective R-PDCCH transmissions” May 2010
【発明の概要】
【発明が解決しようとする課題】
【００２０】
ところで、基地局配下の端末に向けたＰＤＣＣＨがマッピングされるリソース領域（以下、「ＰＤＣＣＨ領域」という）のリソースが不足することも想定される。このリソース不足を解消する方法として、基地局配下の端末に向けたＤＣＩを、前述のＲ−ＰＤＣＣＨがマッピングされるリソース領域（以下、「Ｒ−ＰＤＣＣＨ領域」という）にも配置することが考えられる（図６参照）。
【００２１】
なお、基地局配下の端末に向けたＤＣＩをＲ−ＰＤＣＣＨ領域にも配置する場合であっても、各Ｒ−ＰＤＣＣＨは、ＰＤＣＣＨと同様、１つまたは連続する複数のＲ−ＣＣＥ（Relay-Control Channel Element）で構成されるリソースを占有する。また、Ｒ−ＰＤＣＣＨが占有するＲ−ＣＣＥ数（Ｒ−ＣＣＥ連結数：Relay CCE aggregation level）としては、割当制御情報の情報ビット数または端末の伝搬路状態に応じて、１，２，４，８の中の１つが選択される。
【００２２】
しかしながら、基地局に接続された端末（基地局配下の端末）に向けたＤＣＩを送信するリソース領域として、ＰＤＣＣＨ領域に、Ｒ−ＰＤＣＣＨ領域を単純に加えるだけでは、端末におけるブラインド復号回数が増加し、端末の消費電力及び処理遅延の増大、及び、回路規模の増大が発生してしまうという課題が生じる。例えば、上述したサーチスペースの設定に従うと、１サブフレームにおいて、ＰＤＣＣＨ領域及びＲ−ＰＤＣＣＨ領域の各々にサーチスペースが設定される。よって、各領域での、端末におけるブラインド復号回数を前述の６０回とすると、端末は、サブフレームあたり、合計１２０回（＝６０回×２領域）のブラインド復号を行うことになってしまう。すなわち、ブラインド復号の回数が増大し、端末の構成が複雑化してしまう。
【００２３】
一方、１サブフレームにおける端末でのブラインド復号領域候補の総数（すなわち、ブラインド復号回数の総数）を、上記従来と同程度（例えば、６０回）として、ＰＤＣＣＨ領域及びＲ−ＰＤＣＣＨ領域の各々にサーチスペースを配分する設定方法が考えられる。しかしながら、この場合、ＰＤＣＣＨ領域およびＲ−ＰＤＣＣＨ領域それぞれにおけるサーチスペースの大きさが１／２程度になってしまい、基地局は、特定の端末向けのＤＣＩに対してＣＣＥを割り当てることができなくなる可能性（つまり、blocking probability）が高くなる。このため、基地局は、当該端末向けの制御信号の送信タイミングを変更したり、必要十分なＣＣＥ連結数と異なるＣＣＥ連結数を用いたりする必要が生じる。しかし、制御信号の送信タイミングを変更すると、伝送遅延が発生してしまう。また、ＣＣＥ連結数を不必要に大きくすることは、Ｒ−ＰＤＣＣＨ領域のリソースを無駄に使用することになり、逆に、ＣＣＥ連結数をより小さくすることは、当該端末に対して所望の通信品質を満足させることができなくなる。
【００２４】
このため、リソースが有効利用できなくなることに起因する、システムスループット低下を招く可能性がある。従って、基地局配下の端末向けのＤＣＩをＰＤＣＣＨ領域及びＲ−ＰＤＣＣＨ領域を用いて送信する際、端末のブラインド復号回数を増加させることなく、かつ、基地局におけるリソース割当の柔軟性低下を防ぐことができる方法が望まれる。
【００２５】
本発明の目的は、基地局配下の端末に向けのＤＣＩをＰＤＣＣＨ領域及びＲ−ＰＤＣＣＨ領域を用いて送信する場合でも、端末のブラインド復号回数を増加させることなく、かつ、基地局におけるリソース割当の柔軟性低下を防ぐことができる端末装置、復号方法、及び集積回路を提供することを目的とする。
【課題を解決するための手段】
【００２６】
本発明の一態様の基地局は、それぞれが、１つ又は複数のコントロール・チャネル・エレメント（ＣＣＥ）から構成される、端末において復号の対象となる複数の復号対象候補によって定義されるサーチスペースを設定する設定手段と、前記設定されたサーチスペースに含まれる複数の復号対象候補の内のいずれかに制御チャネルを配置して前記端末へ送信する送信手段と、を具備し、前記復号対象候補を構成する前記ＣＣＥの連結数と、前記復号対象候補の数とが対応付けられ、前記設定手段は、送信すべき制御チャネルに応じて、前記復号対象候補を構成する前記ＣＣＥの連結数と前記復号対象候補の数との対応を異ならせる。
【００２７】
本発明の一態様の端末は、それぞれが、１つ又は複数のコントロール・チャネル・エレメント（ＣＣＥ）から構成され、復号の対象となる複数の復号対象候補によって定義されるサーチスペースに配置された制御チャネルを受信する受信手段と、前記複数の復号対象候補の内のいずれかに配置された自装置宛の前記制御チャネルを復号する復号手段と、を具備し、前記復号対象候補を構成する前記ＣＣＥの連結数と、前記復号対象候補の数とが対応付けられ、前記制御チャネルに応じて、前記復号対象候補を構成する前記ＣＣＥの連結数と前記復号対象候補の数との対応が異なる。
【００２８】
本発明の一態様のサーチスペース設定方法は、それぞれが、１つ又は複数のコントロール・チャネル・エレメント（ＣＣＥ）から構成される、端末において復号の対象となる複数の復号対象候補によって定義されるサーチスペースを設定するサーチスペース設定方法であって、前記復号対象候補を構成する前記ＣＣＥの連結数と、前記復号対象候補の数とが対応付けられ、前記サーチスペースに含まれる複数の復号対象候補の内のいずれかに配置される制御チャネルに応じて、前記復号対象候補を構成する前記ＣＣＥの連結数と前記復号対象候補の数との対応が異なる。
【００２９】
本発明の一態様の復号方法は、それぞれが、１つ又は複数のコントロール・チャネル・エレメント（ＣＣＥ）から構成され、復号の対象となる複数の復号対象候補によって定義されるサーチスペースに配置された制御チャネルを復号する復号方法であって、前記復号対象候補を構成する前記ＣＣＥの連結数と、前記復号対象候補の数とが対応付けられ、前記制御チャネルに応じて、前記復号対象候補を構成する前記ＣＣＥの連結数と前記復号対象候補の数との対応が異なり、前記複数の復号対象候補をモニタし、前記複数の復号対象候補の内のいずれかに配置された自装置宛の前記制御チャネルを復号する。
【発明の効果】
【００３０】
本発明によれば、基地局配下の端末向けのＤＣＩをＰＤＣＣＨ領域及びＲ−ＰＤＣＣＨ領域を用いて送信する場合でも、端末のブラインド復号回数を増加させることなく、かつ、基地局におけるリソース割当の柔軟性低下を防ぐことができる。
【図面の簡単な説明】
【００３１】
【図１】ＰＤＣＣＨ領域の一例を示す図
【図２】サーチスペースの説明に供する図
【図３】サーチスペースの説明に供する図
【図４】無線通信中継装置を含む通信システムの説明に供する図
【図５】Ｒ−ＰＤＣＣＨ領域の一例を示す図
【図６】ＰＤＣＣＨのマッピング例の説明に供する図
【図７】本発明の実施の形態１に係る基地局の主要構成図
【図８】本発明の実施の形態１に係る端末の主要構成図
【図９】本発明の実施の形態１に係る基地局の構成を示すブロック図
【図１０】本発明の実施の形態１に係る端末の構成を示すブロック図
【図１１】本発明の実施の形態１に係るサーチスペース設定ルールの説明に供する図
【図１２】本発明の実施の形態１に係る必要十分なＣＣＥ連結数の算出方法の説明に供する図
【図１３】本発明の実施の形態２に係るサーチスペース設定ルールの説明に供する図
【図１４】本発明の実施の形態２に係る必要十分なＣＣＥ連結数の算出方法の説明に供する図
【図１５】本発明の実施の形態３に係るサーチスペース設定ルールの説明に供する図
【図１６】本発明の実施の形態３に係る必要十分なＣＣＥ連結数の算出方法の説明に供する図
【発明を実施するための形態】
【００３２】
以下、本発明の実施の形態について図面を参照して詳細に説明する。なお、実施の形態において、同一の構成要素には同一の符号を付し、その説明は重複するので省略する。
【００３３】
［実施の形態１］
［システムの概要］
本発明の実施の形態１に係る通信システムは、基地局１００と端末２００とを有する。基地局１００は、ＬＴＥ−Ａ基地局であり、端末２００は、ＬＴＥ−Ａ端末である。
【００３４】
図７は、本発明の実施の形態１に係る基地局１００の主要構成図である。基地局１００において、サーチスペース設定部１０３は、それぞれが、１つ又は複数のＣＣＥから構成される、端末２００において復号の対象となる複数の復号対象単位領域候補によって定義されるサーチスペースを設定する。そして、割当部１０８は、設定されたサーチスペースに含まれる複数の復号対象候補の内のいずれかに制御チャネルを配置する。すなわち、割当部１０８は、設定されたサーチスペースに含まれる複数の復号対象単位領域候補の内のいずれかにＤＣＩを配置する。こうして、復号対象単位領域候補内に配置された制御チャネル（すなわち、制御チャネルを用いて送信されるＤＣＩ）は、端末２００へ送信される。
【００３５】
図８は、本発明の実施の形態１に係る端末２００の主要構成図である。端末２００において、ＰＤＣＣＨ受信部２０７は、それぞれが、１つ又は複数のＣＣＥから構成され、復号の対象となる複数の復号対象候補によって定義されるサーチスペースに配置された制御チャネルを受信し、複数の復号対象候補の内のいずれかに配置された自装置宛の制御チャネルを復号する。ＰＤＳＣＨ受信部２０８は、複数の復号対象単位領域候補の内のいずれかに配置された自装置宛のＤＣＩに基づいて、下りデータ信号を受信する。
【００３６】
［基地局１００の構成］
図９は、本発明の実施の形態１に係る基地局１００の構成を示すブロック図である。図９において、基地局１００は、設定部１０１と、制御部１０２と、サーチスペース設定部１０３と、ＰＤＣＣＨ生成部１０４と、符号化・変調部１０５，１０６，１０７と、割当部１０８と、多重部１０９と、ＩＦＦＴ（Inverse Fast Fourier Transform）部１１０と、ＣＰ（Cyclic Prefix）付加部１１１と、送信ＲＦ部１１２と、アンテナ１１３と、受信ＲＦ部１１４と、ＣＰ除去部１１５と、ＦＦＴ（Fast Fourier Transform）部１１６と、抽出部１１７と、ＩＤＦＴ（Inverse Discrete Fourier transform）部１１８と、データ受信部１１９と、ＡＣＫ／ＮＡＣＫ受信部１２０とを有する。
【００３７】
設定部１０１は、端末２００向けのＤＣＩの送信に利用するリソース領域を設定すると共に、端末２００の上り回線および下り回線それぞれの送信モードを設定する。リソース領域の設定及び送信モードの設定は、設定対象の端末２００毎に行われる。リソース領域及び送信モードに関する設定情報は、制御部１０２、サーチスペース設定部１０３、ＰＤＣＣＨ生成部１０４および符号化・変調部１０６へ送出される。
【００３８】
具体的には、設定部１０１は、送信領域設定部１３１と、送信モード設定部１３２とを有する。
【００３９】
送信領域設定部１３１は、端末２００向けのＤＣＩの送信に利用するリソース領域を設定する。設定されるリソース領域の候補には、ＰＤＣＣＨ領域とＲ−ＰＤＣＣＨ領域とが含まれる。例えば、通常時には、端末２００向けにＰＤＣＣＨ領域が設定され、基地局１００の配下で通信している端末２００の数が多いためＰＤＣＣＨ領域が逼迫する懸念が生じた場合、又はＰＤＣＣＨ領域での干渉が大きいと判断された場合等には、端末２００向けにＲ−ＰＤＣＣＨ領域を含めた領域が設定される。
【００４０】
すなわち、送信領域設定部１３１は、端末毎にＰＤＣＣＨ領域のみをブラインド復号するか、ＰＤＣＣＨ領域及びＲ−ＰＤＣＣＨ領域の双方をブラインド復号するか、（又は、Ｒ−ＰＤＣＣＨ領域のみをブラインド復号するか）、を設定する。例えば、送信領域設定部１３１は、基地局１００がカバーするセル中心付近に位置する端末２００に対しては干渉制御が不要であり（他セルからの干渉を考慮する必要が無く）、ＰＤＣＣＨリソースのＳＩＮＲも高いので、その端末２００向けにＲ−ＰＤＣＣＨ領域のみを設定する。また、送信領域設定部１３１は、基地局１００がカバーするセルエッジの端末２００に対しては干渉制御が必要であり（他セルからの干渉を考慮する必要があり）、またビームフォーミング効果が得られないＰＤＣＣＨ領域では必要なリソース数が増大するので、その端末向けにＲ−ＰＤＣＣＨ領域（ビームフォーミング効果が得られる領域）を優先して設定する。こうすることで、基地局１００は、基地局１００で使用するＰＤＣＣＨリソース及びＲ−ＰＤＣＣＨリソースの利用効率を最適化する。
【００４１】
送信モード設定部１３２は、端末２００の上り回線および下り回線それぞれの送信モード（例えば、空間多重ＭＩＭＯ送信、ビームフォーミング送信、非連続帯域割当等）を設定する。
【００４２】
なお、リソース領域及び送信モードに関する設定情報は、上位レイヤの制御情報（ＲＲＣ制御情報またはRRC signalingという）として、符号化・変調部１０６を介して各端末２００へ通知される。
【００４３】
制御部１０２は、ＭＣＳ情報、リソース（ＲＢ）割当情報、および、ＮＤＩ（New data indicator）等を含む割当制御情報を生成する。ここで、リソース割当情報として、端末２００の上り回線データを割り当てる上りリソース（例えば、ＰＵＳＣＨ（Physical Uplink Shared Channel））を示す上りリソース割当情報、又は、端末２００向けの下り回線データを割り当てる下りリソース（例えば、ＰＤＳＣＨ（Physical Downlink Shared Channel））を示す下りリソース割当情報を生成する。
【００４４】
さらに、制御部１０２は、設定部１０１から受け取る設定情報に基づいて、端末２００の上り回線の送信モードに応じた割当制御情報（ＤＣＩ  ０Ａ，０Ｂのいずれか）、下り回線の送信モードに応じた割当制御情報（ＤＣＩ  １，１Ｂ，１Ｄ，２，２Ａのいずれか）、または、全端末共通の割当制御情報（ＤＣＩ  ０／１Ａ）を、端末２００毎に生成する。
【００４５】
例えば、通常のデータ送信時には、制御部１０２は、スループット向上のために、各端末２００に設定した送信モードでデータ伝送が行えるように、各端末２００の送信モードに応じた割当制御情報（ＤＣＩ  １，１Ｂ，１Ｄ，２，２Ａ，０Ａ，０Ｂのいずれか）を生成する。これにより、各端末２００に設定した送信モードでデータ伝送が行えるので、スループットを向上することができる。
【００４６】
しかし、急激な伝搬路状況の変化または隣接セルからの干渉の変化等によっては、各端末２００に設定した送信モードではデータの受信誤りが頻発する状況も起こり得る。この場合には、制御部１０２は、全端末に共通のフォーマット（ＤＣＩ  ０／１Ａ）で、割当制御情報を生成し、ロバスト（Robust）なデフォルト送信モードを用いてデータを送信する。これにより、急激に伝搬環境が変動した場合であってもよりロバストなデータ伝送が可能となる。
【００４７】
また、伝搬路状況が悪化した場合に送信モードの変更を通知するための上位レイヤの制御情報（RRC signaling）の送信時にも、制御部１０２は、全端末共通の割当制御情報（ＤＣＩ  ０／１Ａ）を生成し、デフォルト送信モードを用いて情報を送信する。ここで、全端末共通のＤＣＩ  ０／１Ａの情報ビット数は、送信モードに依存するＤＣＩ  １，２，２Ａ，０Ａ，０Ｂの情報ビット数よりも少ない。このため、同じＣＣＥ数が設定された場合、ＤＣＩ  ０／１Ａの方が、ＤＣＩ  １，２，２Ａ，０Ａ，０Ｂよりも、低い符号化率で送信することができる。よって、伝搬路状況が悪化した場合に制御部１０２がＤＣＩ  ０／１Ａを用いることにより、伝搬路状況が劣悪な端末でも良好な誤り率で割当制御情報（および、データ）を受信することができる。
【００４８】
また、制御部１０２は、端末個別のデータ割当向けの割当制御情報の他に、報知情報およびＰａｇｉｎｇ情報等の複数の端末共通のデータ割当のための、共通チャネル向け割当制御情報（例えば、ＤＣＩ  １Ｃ，１Ａ）を生成する。
【００４９】
そして、制御部１０２は、生成した端末個別のデータ割当向けの割当制御情報のうち、ＭＣＳ情報およびＮＤＩをＰＤＣＣＨ生成部１０４に出力し、上りリソース割当情報をＰＤＣＣＨ生成部１０４および抽出部１１７に出力し、下りリソース割当情報をＰＤＣＣＨ生成部１０４および多重部１０９に出力する。また、制御部１０２は、生成した共通チャネル向け割当制御情報をＰＤＣＣＨ生成部１０４に出力する。
【００５０】
サーチスペース設定部１０３は、設定部１０１から受け取る設定情報の示す設定リソース領域に対応するサーチスペース設定ルールに基づいて、サーチスペースを設定する。各サーチスペース設定ルールは、サーチスペース設定部１０３の備えるメモリに、テーブルとして保持されている。サーチスペースには、上述の通り、共通サーチスペース（Ｃ−ＳＳ）および個別サーチスペース（ＵＥ−ＳＳ）が含まれる。共通サーチスペース（Ｃ−ＳＳ）は、上述のとおり、全端末に共通のサーチスペースであり、個別サーチスペース（ＵＥ−ＳＳ）は、各端末に個別のサーチスペースである。
【００５１】
具体的には、サーチスペース設定部１０３は、予め設定したＣＣＥ（例えば、先頭ＣＣＥから１６ＣＣＥ分のＣＣＥ）をＣ−ＳＳとして設定する。ＣＣＥは、基本単位である。
【００５２】
一方、サーチスペース設定部１０３は、各端末に対してＵＥ−ＳＳを設定する。サーチスペース設定部１０３は、例えば、或る端末のＵＥ−ＳＳを、その端末の端末ＩＤおよびランダム化を行うハッシュ（hash）関数を用いて算出されるＣＣＥ番号と、サーチスペースを構成するＣＣＥ数（Ｌ）とから、算出する。
【００５３】
ここで、サーチスペース設定部１０３は、設定部１０１によって設定されたリソース領域がＰＤＣＣＨ領域である場合には、例えば、図２のようにサーチスペースを設定する。すなわち、図２に示すサーチスペースの、ＣＣＥ連結数に対するＤＣＩ割当領域候補の数に関するパターンが、設定部１０１によって設定されたリソース領域がＰＤＣＣＨ領域である場合の、サーチスペース設定ルールとなる。
【００５４】
図２では、ＰＤＣＣＨのＣＣＥ連結数４に対して、４つのＤＣＩ割当領域候補（つまり、ＣＣＥ０〜３，ＣＣＥ４〜７，ＣＣＥ８〜１１，ＣＣＥ１２〜１５）が、Ｃ−ＳＳとして設定されている。また、ＰＤＣＣＨのＣＣＥ連結数８に対して、２つのＤＣＩ割当領域候補（つまり、ＣＣＥ０〜７，ＣＣＥ８〜１５）が、Ｃ−ＳＳとして設定されている。すなわち、図２では、合計６つのＤＣＩ割当領域候補が、Ｃ−ＳＳとして設定されている。
【００５５】
また、図２では、ＣＣＥ連結数１に対して、６つのＤＣＩ割当領域候補（つまり、ＣＣＥ１６〜２１のそれぞれ）が、ＵＥ−ＳＳとして設定されている。また、ＣＣＥ連結数２に対して、６つのＤＣＩ割当領域候補（つまり、ＣＣＥ６〜１７を２つずつ分割したもの）が、ＵＥ−ＳＳとして設定されている。また、ＣＣＥ連結数４に対して、２つのＤＣＩ割当領域候補（つまり、ＣＣＥ２０〜２３，ＣＣＥ２４〜２７）が、ＵＥ−ＳＳとして設定されている。また、ＣＣＥ連結数８に対して、２つのＤＣＩ割当領域候補（つまり、ＣＣＥ１６〜２３，ＣＣＥ２４〜３１）が、ＵＥ−ＳＳとして設定されている。すなわち、図２では、合計１６個のＤＣＩ割当領域候補が、ＵＥ−ＳＳとして設定されている。
【００５６】
また、設定部１０１によって設定されたリソース領域がＰＤＣＣＨ領域及びＲ−ＰＤＣＣＨ領域の場合にも、それぞれに対応するサーチスペース設定ルールによって、サーチスペースが設定される。設定されたリソース領域がＰＤＣＣＨ領域及びＲ−ＰＤＣＣＨ領域の場合における、ＰＤＣＣＨ領域のサーチスペース設定ルール、及び、Ｒ−ＰＤＣＣＨ領域のサーチスペース設定ルールに関しては、後に詳しく説明する。
【００５７】
ＰＤＣＣＨ生成部１０４は、制御部１０２から受け取る、端末個別のデータ割当向けの割当制御情報（つまり、端末毎の上りリソース割当情報、下りリソース割当情報、ＭＣＳ情報およびＮＤＩ等）を含むＤＣＩ、または、共通チャネル向け割当制御情報（つまり、端末共通の報知情報およびＰａｇｉｎｇ情報等）を含むＤＣＩを生成する。このとき、ＰＤＣＣＨ生成部１０４は、端末毎に生成する上り割当制御情報および下り割当制御情報に対してＣＲＣビットを付加し、さらにＣＲＣビットを端末ＩＤでマスキング（または、スクランブリング）する。そして、ＰＤＣＣＨ生成部１０４は、マスキング後の信号を、符号化・変調部１０５に出力する。
【００５８】
符号化・変調部１０５は、ＰＤＣＣＨ生成部１０４から受け取るＤＣＩをチャネル符号化後に変調して、変調後の信号を割当部１０８に出力する。ここで、符号化・変調部１０５は、各端末から報告されるチャネル品質情報（ＣＱＩ：Channel Quality Indicator）情報に基づいて、各端末で十分な受信品質が得られるように符号化率を設定する。例えば、符号化・変調部１０５は、セル境界付近に位置する端末ほど（つまり、チャネル品質が悪い端末ほど）、より低い符号化率を設定する。
【００５９】
割当部１０８は、符号化・変調部１０５から受け取る、共通チャネル向け割当制御情報を含むＤＣＩ、および、各端末に対する端末個別のデータ割当向けの割当制御情報を含むＤＣＩを、サーチスペース設定部１０３から受け取るサーチスペース情報が示す、Ｃ−ＳＳ内のＣＣＥまたはＲ−ＣＣＥ、もしくは、端末毎のＵＥ−ＳＳ内のＣＣＥまたはＲ−ＣＣＥに、それぞれ割り当てる。
【００６０】
例えば、割当部１０８は、Ｃ−ＳＳ（例えば、図２）内のＤＣＩ割当領域候補群の中から１つのＤＣＩ割当領域候補を選択する。そして、割当部１０８は、共通チャネル向け割当制御情報を含むＤＣＩを、選択したＤＣＩ割当領域候補内のＣＣＥ（または、Ｒ−ＣＣＥ。以下、ＣＣＥとＲ−ＣＣＥを区別せず、単にＣＣＥと呼ぶことがある）に割り当てる。
【００６１】
また、割当部１０８は、その端末向けのＤＣＩフォーマット（例えば、ＤＣＩ  １，１Ｂ，１Ｄ，２，２Ａ，０Ａ，０Ｂ）の場合には、その端末に設定されたＵＥ−ＳＳ内のＣＣＥをＤＣＩに対して割り当てる。一方、その端末向けのＤＣＩフォーマットが、全端末共通のフォーマット（例えば、ＤＣＩ  ０／１Ａ）の場合には、Ｃ−ＳＳ内のＣＣＥまたはその端末に設定されたＵＥ−ＳＳ内のＣＣＥをＤＣＩに対して割り当てる。
【００６２】
ここで、１つのＤＣＩに割り当てられるＣＣＥの連結数は、符号化率およびＤＣＩのビット数（つまり、割当制御情報の情報量）によって異なる。例えば、セル境界付近に位置する端末向けのＤＣＩの符号化率は低く設定されるので、より多くの物理リソースが必要である。従って、割当部１０８は、セル境界付近に位置する端末向けのＤＣＩに対して、より多くのＣＣＥを割り当てる。
【００６３】
そして、割当部１０８は、ＤＣＩに割り当てたＣＣＥに関する情報を多重部１０９およびＡＣＫ／ＮＡＣＫ受信部１２０に出力する。また、割当部１０８は、符号化・変調後のＤＣＩを多重部１０９に出力する。
【００６４】
符号化・変調部１０６は、設定部１０１から受け取る設定情報をチャネル符号化後に変調して、変調後の設定情報を多重部１０９に出力する。
【００６５】
符号化・変調部１０７は、入力される送信データ（下り回線データ）をチャネル符号化後に変調して、変調後の送信データ信号を多重部１０９に出力する。
【００６６】
多重部１０９は、割当部１０８から受け取る符号化・変調後のＤＣＩ、符号化・変調部１０６から受け取る設定情報、および符号化・変調部１０７から入力されるデータ信号（つまり、ＰＤＳＣＨ信号）を時間領域及び周波数領域で多重する。ここで、多重部１０９は、制御部１０２から受け取る下りリソース割当情報に基づいて、ＰＤＣＣＨ信号およびデータ信号（ＰＤＳＣＨ信号）をマッピングする。なお、多重部１０９は、設定情報をＰＤＳＣＨにマッピングしてもよい。そして、多重部１０９は、多重信号をＩＦＦＴ部１１０に出力する。
【００６７】
ＩＦＦＴ部１１０は、多重部１０９からのアンテナ毎の多重信号を時間波形に変換し、ＣＰ付加部１１１は、この時間波形にＣＰを付加することによりＯＦＤＭ信号を得る。
【００６８】
送信ＲＦ部１１２は、ＣＰ付加部１１１から入力されるＯＦＤＭ信号に対して送信無線処理（アップコンバート、ディジタルアナログ（Ｄ／Ａ）変換など）を施し、アンテナ１１３を介して送信する。
【００６９】
一方、受信ＲＦ部１１４は、アンテナ１１３を介して受信帯域で受信した受信無線信号に対して受信無線処理（ダウンコンバート、アナログディジタル（Ａ／Ｄ）変換など）を施し、得られた受信信号をＣＰ除去部１１５に出力する。
【００７０】
ＣＰ除去部１１５は、受信信号からＣＰを除去し、ＦＦＴ（Fast Fourier Transform）部１１６は、ＣＰ除去後の受信信号を周波数領域信号に変換する。
【００７１】
抽出部１１７は、制御部１０２から受け取る上りリソース割当情報に基づいて、ＦＦＴ部１１６から受け取る周波数領域信号から上り回線データを抽出し、ＩＤＦＴ部１１８は、抽出信号を時間領域信号に変換し、その時間領域信号をデータ受信部１１９およびＡＣＫ／ＮＡＣＫ受信部１２０に出力する。
【００７２】
データ受信部１１９は、ＩＤＦＴ部１１８から入力される時間領域信号を復号する。そして、データ受信部１１９は、復号後の上り回線データを受信データとして出力する。
【００７３】
ＡＣＫ／ＮＡＣＫ受信部１２０は、ＩＤＦＴ部１１８から受け取る時間領域信号のうち、下り回線データ（ＰＤＳＣＨ信号）に対する各端末からのＡＣＫ／ＮＡＣＫ信号を抽出する。具体的には、ＡＣＫ／ＮＡＣＫ受信部１２０は、そのＡＣＫ／ＮＡＣＫ信号を、割当部１０８から受け取る情報に基づいて、上り回線制御チャネル（例えば、ＰＵＣＣＨ（Physical Uplink Control Channel））から抽出する。また、その上り回線制御チャネルは、その下り回線データに対応する下り割当制御情報の送信に用いられたＣＣＥに対応付けられた上り回線制御チャネルである。
【００７４】
そして、ＡＣＫ／ＮＡＣＫ受信部１２０は、抽出したＡＣＫ／ＮＡＣＫ信号のＡＣＫ／ＮＡＣＫ判定を行う。
【００７５】
なお、ここでは、ＣＣＥとＰＵＣＣＨとが対応付けられているのは、端末がＡＣＫ／ＮＡＣＫ信号の送信に用いるＰＵＣＣＨを基地局から各端末へ通知するためのシグナリングを不要にするためである。これにより、下り回線の通信リソースを効率良く使用することができる。従って、各端末は、この対応付けに従って、自端末への下り割当制御情報（ＤＣＩ）がマッピングされているＣＣＥに基づいて、ＡＣＫ／ＮＡＣＫ信号の送信に用いるＰＵＣＣＨを判定している。
【００７６】
［端末２００の構成］
図１０は、本発明の実施の形態１に係る端末２００の構成を示すブロック図である。ここでは、端末２００は、ＬＴＥ−Ａ端末であり、複数の下り単位キャリアを使用してデータ信号（下り回線データ）を受信し、そのデータ信号に対するＡＣＫ／ＮＡＣＫ信号を１つの上り単位キャリアのＰＵＣＣＨを用いて基地局１００へ送信する。
【００７７】
図１０において、端末２００は、アンテナ２０１と、受信ＲＦ部２０２と、ＣＰ除去部２０３と、ＦＦＴ部２０４と、分離部２０５と、設定情報受信部２０６と、ＰＤＣＣＨ受信部２０７と、ＰＤＳＣＨ受信部２０８と、変調部２０９，２１０と、ＤＦＴ部２１１と、マッピング部２１２と、ＩＦＦＴ部２１３と、ＣＰ付加部２１４と、送信ＲＦ部２１５とを有する。
【００７８】
受信ＲＦ部２０２は、設定情報受信部２０６から受け取る帯域情報に基づいて、受信帯域を設定する。受信ＲＦ部２０２は、アンテナ２０１を介して受信帯域で受信した無線信号（ここでは、ＯＦＤＭ信号）に対して受信無線処理（ダウンコンバート、アナログディジタル（Ａ／Ｄ）変換など）を施し、得られた受信信号をＣＰ除去部２０３に出力する。なお、受信信号には、ＰＤＳＣＨ信号、ＤＣＩ、および、設定情報を含む上位レイヤの制御情報が含まれている可能性がある。また、ＤＣＩ（割当制御情報）は、端末２００および他の端末に対して設定された共通のサーチスペース（Ｃ−ＳＳ）、または、端末２００に対して設定された個別のサーチスペース（ＵＥ−ＳＳ）に割り当てられている。
【００７９】
ＣＰ除去部２０３は、受信信号からＣＰを除去し、ＦＦＴ部２０４は、ＣＰ除去後の受信信号を周波数領域信号に変換する。この周波数領域信号は、分離部２０５に出力される。
【００８０】
分離部２０５は、ＦＦＴ部２０４から受け取る信号のうち、ＤＣＩを含む可能性のある成分（すなわち、ＰＤＣＣＨ領域およびＲ−ＰＤＣＣＨ領域から抜き出された信号）を、ＰＤＣＣＨ受信部２０７に出力する。また、分離部２０５は、設定情報を含む上位レイヤの制御信号（例えば、RRC signaling等）を設定情報受信部２０６に出力し、データ信号（つまり、ＰＤＳＣＨ信号）をＰＤＳＣＨ受信部２０８に出力する。なお、設定情報を含む上位レイヤの制御信号がＰＤＳＣＨを通して送信される場合には、分離部２０５は、ＰＤＳＣＨ受信部２０８で受信した後の信号から、設定情報を抽出する。
【００８１】
設定情報受信部２０６は、分離部２０５から受け取る上位レイヤの制御信号から、次の情報を読み取る。すなわち、この読み取られる情報は、自端末に設定された上り単位キャリアおよび下り単位キャリアを示す情報、自端末に設定された端末ＩＤを示す情報、自端末に設定された、ＤＣＩの送信に利用するリソース領域を示す情報、自端末に設定された参照信号を示す情報、及び自端末に設定された送信モードを示す情報である。
【００８２】
そして、自端末に設定された上り単位キャリアおよび下り単位キャリアを示す情報は、帯域情報としてＰＤＣＣＨ受信部２０７、受信ＲＦ部２０２および送信ＲＦ部２１５に出力される。また、自端末に設定された端末ＩＤを示す情報は、端末ＩＤ情報としてＰＤＣＣＨ受信部２０７に出力される。また、ＤＣＩの送信に利用するリソース領域を示す情報は、サーチスペース領域情報としてＰＤＣＣＨ受信部２０７に出力される。また、自端末に設定された参照信号を示す情報は、参照信号情報としてＰＤＣＣＨ受信部２０７に出力される。また、自端末に設定された送信モードを示す情報は、送信モード情報としてＰＤＣＣＨ受信部２０７に出力される。
【００８３】
ＰＤＣＣＨ受信部２０７は、分離部２０５から入力される信号をブラインド復号（モニタ）して、自端末向けのＤＣＩを得る。このブラインド復号処理は、自端末に対して設定されたリソース領域に対応するサーチスペース設定ルールに規定されている復号対象単位領域候補に対して行われる。各サーチスペース設定ルールは、ＰＤＣＣＨ受信部２０７の備えるメモリに、テーブルとして保持されている。ここで、ＰＤＣＣＨ受信部２０７は、全端末共通のデータ割当向けのＤＣＩフォーマット（例えば、ＤＣＩ  ０／１Ａ）、自端末に設定された送信モード依存のＤＣＩフォーマット（例えば、ＤＣＩ  １，２，２Ａ，０Ａ，０Ｂ）および全端末共通の共通チャネル割当向けのＤＣＩフォーマット（例えば、ＤＣＩ  １Ｃ，１Ａ）のそれぞれに対して、ブラインド復号する。これにより、各ＤＣＩフォーマットの割当制御情報を含むＤＣＩが得られる。
【００８４】
ここで、ＰＤＣＣＨ受信部２０７は、設定情報受信部２０６から受け取るサーチスペース領域情報の示す領域がＰＤＣＣＨ領域のみである場合には、リソース領域がＰＤＣＣＨ領域のみであるときのサーチスペース設定ルールに基づいて、Ｃ−ＳＳに対して、共通チャネル割当向けのＤＣＩフォーマット（ＤＣＩ  １Ｃ，１Ａ）および全端末共通のデータ割当向けＤＣＩフォーマット（ＤＣＩ  ０／１Ａ）のブラインド復号を行う。すなわち、ＰＤＣＣＨ受信部２０７は、Ｃ−ＳＳ内の各復号対象単位領域候補（つまり、端末２００に割り当てられるＣＣＥ領域の候補）について、共通チャネル割当向けのＤＣＩフォーマットのサイズ、および、全端末共通のデータ割当向けのＤＣＩフォーマットのサイズを対象として、復調および復号する。復号後の信号に対して、複数の端末の間で共通のＩＤによってＣＲＣビットをデマスキングする。そして、ＰＤＣＣＨ受信部２０７は、デマスキングの結果、ＣＲＣ＝ＯＫ（誤り無し）となった信号を、共通チャネル向けの割当制御情報が含まれるＤＣＩであると判定する。また、ＰＤＣＣＨ受信部２０７は、復号後の信号に対して、端末ＩＤ情報が示す自端末の端末ＩＤによってＣＲＣビットをデマスキングする。そして、ＰＤＣＣＨ受信部２０７は、デマスキングの結果、ＣＲＣ＝ＯＫ（誤り無し）となった信号を、自端末向けの割当制御情報が含まれるＤＣＩであると判定する。すなわち、ＰＤＣＣＨ受信部２０７は、Ｃ−ＳＳでは、ＤＣＩ  ０／１Ａの割当制御情報が共通チャネル向けであるか又は自端末向けのデータ割当向けであるかを、端末ＩＤ（複数の端末の間で共通のＩＤ、または、端末２００の端末ＩＤ）によって区別する。
【００８５】
ＰＤＣＣＨ受信部２０７は、設定情報受信部２０６から受け取る端末ＩＤ情報の示す自端末の端末ＩＤを用いて、自端末のＵＥ−ＳＳを、各ＣＣＥ連結数に対してそれぞれ算出する。そして、ＰＤＣＣＨ受信部２０７は、算出したＵＥ−ＳＳ内の各ブラインド復号領域候補について、自端末に設定された送信モード（送信モード情報に示される送信モード）に対応したＤＣＩフォーマットのサイズおよび全端末共通のＤＣＩフォーマット（ＤＣＩ  ０／１Ａ）のサイズを対象として、復調および復号する。そして、ＰＤＣＣＨ受信部２０７は、復号後の信号に対して、自端末の端末ＩＤでＣＲＣビットをデマスキングする。そして、ＰＤＣＣＨ受信部２０７は、デマスキングの結果、ＣＲＣ＝ＯＫ（誤り無し）となった信号を、自端末向けのＤＣＩであると判定する。
【００８６】
ＰＤＣＣＨ受信部２０７は、設定情報受信部２０６から受け取るサーチスペース領域情報の示す領域がＰＤＣＣＨ領域及びＲ−ＰＤＣＣＨ領域の場合にも、それぞれに対応するサーチスペース設定ルールに基づいて、ブラインド復号を行う。サーチスペース領域情報の示す領域がＰＤＣＣＨ領域及びＲ−ＰＤＣＣＨ領域の場合における、ＰＤＣＣＨ領域のサーチスペース設定ルール、及び、Ｒ−ＰＤＣＣＨ領域のサーチスペース設定ルールに関しては、後に詳しく説明する。なお、設定情報受信部２０６から入力されるサーチスペース領域情報（サーチスペースの配分）がない場合（基地局１００がサーチスペース領域情報を送信しない場合）には、端末２００は、サーチスペースの配分を意識せずにブラインド復号を行っても良い。
【００８７】
そして、ＰＤＣＣＨ受信部２０７は、下り割当制御情報を受信した場合には自端末向けのＤＣＩに含まれる下りリソース割当情報をＰＤＳＣＨ受信部２０８に出力し、上り割当制御情報を受信した場合には上りリソース割当情報をマッピング部２１２に出力する。また、ＰＤＣＣＨ受信部２０７は、自端末向けのＤＣＩの送信に用いられたＣＣＥ（ＣＲＣ＝ＯＫとなった信号の送信に用いられていたＣＣＥ）のＣＣＥ番号（ＣＣＥ連結数が複数の場合は先頭のＣＣＥのＣＣＥ番号）をマッピング部２１２に出力する。なお、ＰＤＣＣＨ受信部におけるブラインド復号（モニタ）処理の詳細については後述する。
【００８８】
ＰＤＳＣＨ受信部２０８は、ＰＤＣＣＨ受信部２０７から受け取る下りリソース割当情報に基づいて、分離部２０５から受け取るＰＤＳＣＨ信号から、受信データ（下り回線データ）を抽出する。また、ＰＤＳＣＨ受信部２０８は、抽出した受信データ（下り回線データ）に対して誤り検出を行う。そして、ＰＤＳＣＨ受信部２０８は、誤り検出の結果、受信データに誤りがある場合には、ＡＣＫ／ＮＡＣＫ信号としてＮＡＣＫ信号を生成し、受信データに誤りが無い場合には、ＡＣＫ／ＮＡＣＫ信号としてＡＣＫ信号を生成する。このＡＣＫ／ＮＡＣＫ信号は、変調部２０９に出力される。
【００８９】
変調部２０９は、ＰＤＳＣＨ受信部２０８から受け取るＡＣＫ／ＮＡＣＫ信号を変調し、変調後のＡＣＫ／ＮＡＣＫ信号をマッピング部２１２に出力する。
【００９０】
変調部２１０は、送信データ（上り回線データ）を変調し、変調後のデータ信号をＤＦＴ部２１１に出力する。
【００９１】
ＤＦＴ部２１１は、変調部２１０から受け取るデータ信号を周波数領域に変換し、得られる複数の周波数成分をマッピング部２１２に出力する。
【００９２】
マッピング部２１２は、ＰＤＣＣＨ受信部２０７から受け取る上りリソース割当情報に従って、ＤＦＴ部２１１から受け取る複数の周波数成分を、上り単位キャリアに配置されたＰＵＳＣＨにマッピングする。また、マッピング部２１２は、ＰＤＣＣＨ受信部２０７から受け取るＣＣＥ番号に従ってＰＵＣＣＨを特定する。そして、マッピング部２１２は、変調部２０９から入力されるＡＣＫ／ＮＡＣＫ信号を、上記特定したＰＵＣＣＨにマッピングする。
【００９３】
ＩＦＦＴ部２１３は、ＰＵＳＣＨにマッピングされた複数の周波数成分を時間領域波形に変換し、ＣＰ付加部２１４は、その時間領域波形にＣＰを付加する。
【００９４】
送信ＲＦ部２１５は、送信帯域を変更可能に構成されている。送信ＲＦ部２１５は、設定情報受信部２０６から受け取る帯域情報に基づいて、送信帯域を設定する。そして、送信ＲＦ部２１５は、ＣＰが付加された信号に送信無線処理（アップコンバート、ディジタルアナログ（Ｄ／Ａ）変換など）を施して、アンテナ２０１を介して送信する。
【００９５】
［基地局１００及び端末２００の動作］
基地局１００において、設定部１０１は、端末２００向けのＤＣＩの送信に利用するリソース領域を設定する。設定されるリソース領域の候補には、ＰＤＣＣＨ領域と、Ｒ−ＰＤＣＣＨ領域とが含まれる。また、ここでは、１サブフレームにおいて設定されるリソース領域としては、ＰＤＣＣＨ領域のみである場合と、ＰＤＣＣＨ領域及びＲ−ＰＤＣＣＨ領域の双方である場合とがある。
【００９６】
サーチスペース設定部１０３は、設定部１０１から受け取る設定情報の示す設定リソース領域に対応するサーチスペース設定ルールに基づいて、サーチスペースを設定する。
【００９７】
なお、以下の説明では、１サブフレームにおいて各端末２００に設定されるＵＥ−ＳＳ内では、設定部１０１で設定されるリソース領域に依らず、ＤＣＩフォーマット毎の各ＣＣＥ連結数（Ｌ＝１，２，４，８）に対する復号対象単位領域候補の合計を１６候補とする。
【００９８】
また、端末２００（ＰＤＣＣＨ受信部２０７）は、ＵＥ−ＳＳに対して、全端末共通のデータ割当向け割当制御情報（例えば、ＤＣＩ  ０／１Ａ）を含むＤＣＩ、及び、端末２００に設定された送信モードに依存する割当制御情報（例えば、上り回線（ＤＣＩ  ０Ａ，０Ｂ）、下り回線（ＤＣＩ  １，１Ｂ,１Ｄ，２，２Ａ））を含むＤＣＩの３種類のＤＣＩフォーマットについてそれぞれブラインド復号する。つまり、１サブフレームにおいて各端末２００に設定されるＵＥ−ＳＳ内でのブラインド復号回数の合計は、設定部１０１で設定されるリソース領域に依らず、合計４８回（＝１６候補×３種）とする。
【００９９】
また、ここでは、説明を簡略するため、ＣＣＥとＲ−ＣＣＥとを区別せず、単に「ＣＣＥ」と呼び、ＣＣＥ連結数とＲ−ＣＣＥ連結数とを区別せずに、単に「ＣＣＥ連結数」と呼ぶ。
【０１００】
例えば、１サブフレームにおいて設定されるリソース領域がＰＤＣＣＨ領域のみである場合に用いられるサーチスペース設定ルールにおいて、ＵＥ−ＳＳ内のＣＣＥ連結数に対するＤＣＩフォーマット毎の復号対象単位領域候補の数に関するパターンは、図２に示すように、ＣＣＥ連結数Ｌ＝１，２，４，８に対して、復号対象単位領域候補数６，６，２，２（合計１６候補）というパターンである。すなわち、端末２００は、１サブフレームにおいて３種類のＤＣＩフォーマットについてそれぞれブラインド復号するため、設定されるリソース領域がＰＤＣＣＨ領域のみである場合に用いられるサーチスペース設定ルールでは、図１１Ａに示すように、ＣＣＥ連結数Ｌ＝１，２，４，８に対して、端末２００のブラインド復号回数１８，１８，６，６（合計４８回）となる。
【０１０１】
一方、１サブフレームにおいて設定されるリソース領域がＰＤＣＣＨ領域及びＲ−ＰＤＣＣＨ領域である場合において、ＰＤＣＣＨ領域で用いられる「第１のサーチスペース設定ルール」と、Ｒ−ＰＤＣＣＨ領域で用いられる「第２のサーチスペース設定ルール」とでは、ＣＣＥ連結数に対する復号対象単位領域候補の数に関するパターンが互いに異なっている。すなわち、ＰＤＣＣＨ領域と、Ｒ−ＰＤＣＣＨ領域とでは、ＣＣＥ連結数に対する復号対象単位領域候補の数に関するパターンが独立に規定される。
【０１０２】
以下で「第１のサーチスペース設定ルール」及び「第２のサーチスペース設定ルール」について説明する。
【０１０３】
例えば、第１のサーチスペース設定ルール（ＰＤＣＣＨ領域）のパターンは、ＣＣＥ連結数１，２，４，８に対して、復号対象単位領域候補数２，２，２，２（合計８候補）というパターンである。すなわち、第１のサーチスペース設定ルールでは、図１１Ｂに示すように、ＣＣＥ連結数Ｌ＝１，２，４，８に対して、端末２００のブラインド復号回数６，６，６，６（合計２４回）となる（端末２００は３種類のＤＣＩフォーマットについてそれぞれブラインド復号するため）。
【０１０４】
また、例えば、第２のサーチスペース設定ルール（Ｒ−ＰＤＣＣＨ領域）のパターンは、ＣＣＥ連結数１，２，４，８に対して、復号対象単位領域候補数３，３，１，１（合計８候補）というパターンである。すなわち、第２のサーチスペース設定ルールでは、図１１Ｂに示すように、ＣＣＥ連結数Ｌ＝１，２，４，８に対して、端末２００のブラインド復号回数９，９，３，３（合計２４回）となる。
【０１０５】
よって、ＰＤＣＣＨ領域およびＲ−ＰＤＣＣＨ領域での端末２００のブラインド復号回数の合計は４８回（＝２４回（ＰＤＣＣＨ領域）＋２４回（Ｒ−ＰＤＣＣＨ領域））となる。
【０１０６】
ここで、基地局１００は、図１２に示すように、端末２００に送信したいＤＣＩビット数を、実際の通信品質（例えば、ＳＩＮＲ＝Ｘ［ｄＢ］）に基づいて、所望の通信品質（例えば、ＬＴＥでは、ＰＤＣＣＨの場合、ＢＬＥＲ＝１％以下が規定されている）を必要十分に満足するように、必要十分なＭＣＳ（つまり、必要十分な符号化率）を決定する。そして、基地局１００は、ＤＣＩビット数と、必要十分な符号化率とから、必要十分なＲＥ数を算出し、１ＣＣＥ当りのＲＥ数から、必要十分なＣＣＥ連結数を算出する。
【０１０７】
また、Ｒ−ＰＤＣＣＨ領域は、各端末２００に対して基地局１００がＲ−ＰＤＣＣＨのマッピング位置を決定（限定）して設定される。よって、例えば、基地局１００は、端末２００に対してＲ−ＰＤＣＣＨ領域を設定する際、基地局１００と端末２００との間の伝搬路を考慮して最適な周波数リソースをＲ−ＰＤＣＣＨ領域として割り当てることが可能となる。これにより、Ｒ−ＰＤＣＣＨ領域では、周波数スケジューリング効果が得られる。また、Ｒ−ＰＤＣＣＨ領域は特定の周波数帯域で特定の端末に対して設定されるので、基地局１００は、Ｒ−ＰＤＣＣＨ領域において特定の端末に対してビームフォーミングを行うことが可能となる。
【０１０８】
一方、ＰＤＣＣＨ領域は全システム帯域に渡って設定されているので、ＰＤＣＣＨ領域では周波数ダイバーシチ効果が得られる。ただし、全端末向けの送信ダイバーシチが行われるＰＤＣＣＨ領域では特定の端末に対するビームフォーミングを適用することができない。
【０１０９】
また、ＰＤＣＣＨ領域は全システム帯域に渡って設定されているので、ＰＤＣＣＨ領域ではセル間での干渉コーディネーション（Interference Coordination）の適用が困難である。これに対して、Ｒ−ＰＤＣＣＨ領域の周波数位置は基地局１００によって決定（限定）可能であるので、Ｒ−ＰＤＣＣＨ領域に対してセル間での干渉コーディネーションの適用が可能となる。これにより、特に、ヘテロジニアスネットワーク（Heterogeneous Network）のようにセル間で互いに干渉を与えやすい環境（シナリオ）であっても、Ｒ−ＰＤＣＣＨ領域では、ＰＤＣＣＨ領域と比較して、制御信号（ＤＣＩ）が受ける干渉を低減できる。
【０１１０】
このように、Ｒ−ＰＤＣＣＨ領域では、干渉制御、周波数スケジューリング及びビームフォーミングを適用することが可能である。これにより、図１２に示す実際の通信品質（伝送品質）は、ＰＤＣＣＨ領域よりもＲ−ＰＤＣＣＨ領域の方が良好となる。
【０１１１】
よって、図１２では、所望の通信品質（例えばＢＬＥＲ＝１％）を必要十分に満足させるために必要な総ＲＥ数は、Ｒ−ＰＤＣＣＨ領域の方がＰＤＣＣＨ領域よりも少なくなる。すなわち、Ｒ−ＰＤＣＣＨ領域では、ＰＤＣＣＨ領域と比べて、より少ないリソース、つまり、より小さいＣＣＥ連結数で所望の通信品質を満足させることができる。
【０１１２】
よって、必要十分な総ＲＥ数が少ないＲ−ＰＤＣＣＨ領域では、ＰＤＣＣＨ領域に比べて、より小さいＣＣＥ連結数におけるブラインド復号回数（復号対象単位領域候補数）をより多くすることが望ましい。
【０１１３】
この要求は、図１１Ｂに示すサーチスペース設定ルールによって満たされている。すなわち、図１１Ｂに示すサーチスペース設定ルールでは、第２のサーチスペース設定ルールのパターンは、第１のサーチスペース設定ルールのパターンと比べると、サーチスペースに含まれる復号対象単位領域候補群（つまり、ブラインド復号回数）のＣＣＥ連結数に対する分布のピーク位置（つまり、重心）がＣＣＥ連結数の小さい方に存在している。
【０１１４】
「第２のサーチスペース設定ルールのパターンの、復号対象単位領域候補群（ブラインド復号回数）のＣＣＥ連結数に対する分布のピーク位置が、第１のサーチスペース設定ルールのパターンよりも、ＣＣＥ連結数が小さい方にシフトしている」ことは、以下に示す事項を意味する。
【０１１５】
すなわち、ＣＣＥ連結数のブラインド復号回数（復号対象単位領域候補数）に対する加重平均は、第１のサーチスペース設定ルール（ＰＤＣＣＨ領域）よりも、第２のサーチスペース設定ルール（Ｒ−ＰＤＣＣＨ領域）の方が小さいことを意味する。ＣＣＥ連結数のブラインド復号回数（復号対象単位領域候補数）に対する加重平均は、次の式（１）によって表される。
【数１】
0005991633.tif 000002
【０１１６】
上記した事項が満たされるか否かは、具体的には、次のように確かめられる。
【０１１７】
ＣＣＥ連結数毎のブラインド復号回数に対する加重平均は、図１１Ｂに示す第１のサーチスペース設定ルールでは、（１×６＋２×６＋４×６＋８×６）／（６＋６＋６＋６）＝３．７５となり、図１１Ｂに示す第２のサーチスペース設定ルールでは、（１×９＋２×９＋４×３＋８×３）／（９＋９＋３＋３）＝２．６２５となる。従って、“第１のサーチスペース設定ルール＞第２のサーチスペース設定ルール”の関係を満たす。
【０１１８】
次いで、ＰＤＣＣＨ領域のみを設定する場合（図１１Ａ）と、ＰＤＣＣＨ領域及びＲ−ＰＤＣＣＨ領域を設定する場合（図１１Ｂ）とを比較する。
【０１１９】
ＰＤＣＣＨ領域のみを設定する場合（図１１Ａ）と、ＰＤＣＣＨ領域及びＲ−ＰＤＣＣＨ領域を設定する場合（図１１Ｂ）とでは、端末２００のブラインド復号回数（４８回）は同一である。これは、基地局１００が、ＰＤＣＣＨ領域及びＲ−ＰＤＣＣＨ領域の双方を用いる端末２００に対して、ＰＤＣＣＨ領域のみを用いる端末２００と同数の復号対象単位領域候補（つまり、ＰＤＣＣＨ領域のみを用いる端末２００と同程度の処理能力)を、ＰＤＣＣＨ領域とＲ−ＰＤＣＣＨ領域とに振り分けることを意味する。
【０１２０】
これにより、１サブフレームにおいて設定されるリソース領域が、ＰＤＣＣＨ領域のみである場合、および、ＰＤＣＣＨ領域及びＲ−ＰＤＣＣＨ領域の双方である場合のいずれであるかによって、端末２００のブラインド復号回数（復号対象単位領域候補。つまり、端末２００のブラインド復号に関する処理能力に対する要求）が増加することを防ぐことができる。また、これにより、端末２００の回路規模の増大を防止することができる。
【０１２１】
また、ＰＤＣＣＨ領域及びＲ−ＰＤＣＣＨ領域を設定する場合（図１１Ｂ）におけるＰＤＣＣＨ領域内では、ＰＤＣＣＨ領域のみを設定した場合（図１１Ａ）と比較すると、大きいＣＣＥ連結数（Ｌ＝４，８）に対するブラインド復号回数（つまり、復号対象単位領域候補数）が維持されるのに対し、小さいＣＣＥ連結数（Ｌ＝１，２）に対するブラインド復号回数（つまり、復号対象単位領域候補数）が削減されている。
【０１２２】
一方、図１１Ｂに示すＲ−ＰＤＣＣＨ領域内では、小さいＣＣＥ連結数（Ｌ＝１，２）におけるブラインド復号回数（つまり、復号対象単位領域候補数）が、大きいＣＣＥ連結数（Ｌ＝４，８）におけるブラインド復号回数（つまり、復号対象単位領域候補数）よりも多くなる。
【０１２３】
つまり、図１１Ｂに示すサーチスペース設定ルールにおいて、ＰＤＣＣＨ領域及びＲ−ＰＤＣＣＨ領域のうち、通信品質がより劣悪であるＰＤＣＣＨ領域内では、ＤＣＩの送信に使用される可能性が低い、小さいＣＣＥ連結数（Ｌ＝１，２）に対するブラインド復号回数（つまり、復号対象単位領域候補数）を優先して削減している。また、図１１Ｂに示すサーチスペース設定ルールにおいて、ＰＤＣＣＨ領域及びＲ−ＰＤＣＣＨ領域のうち、通信品質がより良好であるＲ−ＰＤＣＣＨ領域内では、ＤＣＩの送信に使用される可能性が高い、小さいＣＣＥ連結数（Ｌ＝１，２）に対するブラインド復号回数（つまり、復号対象単位領域候補数）を優先的に多くしている。換言すると、図１１Ｂに示すサーチスペース設定ルールでは、小さいＣＣＥ連結数（Ｌ＝１，２）に対する復号対象単位領域候補は、ＰＤＣＣＨ領域よりもＲ−ＰＤＣＣＨ領域に優先して多く設定される。
【０１２４】
このように、図１１Ｂに示すサーチスペース設定ルールでは、ＰＤＣＣＨ領域及びＲ−ＰＤＣＣＨ領域の各々のリソース領域で使用されやすいＣＣＥ連結数に対して、復号対象単位領域候補（つまり、ブラインド復号回数）がより多く設定される。これにより、基地局１００は、ＰＤＣＣＨ領域およびＲ−ＰＤＣＣＨ領域に、端末２００向けのＤＣＩを柔軟に割り当てることが可能となる。
【０１２５】
また、前述したように、Ｒ−ＰＤＣＣＨ領域内では、小さいＣＣＥ連結数（Ｌ＝１，２）に対するブラインド復号回数（つまり、復号対象単位領域候補数）が、大きいＣＣＥ連結数（Ｌ＝４，８）に対するブラインド復号回数（つまり、復号対象単位領域候補数）よりも多くなる。つまり、Ｒ−ＰＤＣＣＨ領域では、ＰＤＣＣＨ領域と比較して、使用されるＣＣＥ連結数を平均的に小さくできる（つまり、ＣＣＥ連結数毎のブラインド復号回数に対する加重平均が、“第１のサーチスペース設定ルール＞第２のサーチスペース設定ルール”の関係を満たす）。よって、Ｒ−ＰＤＣＣＨ領域における基地局１００配下の端末２００向けの下り割当制御情報に用いられるリソースをより小さくすることで、Ｒ−ＰＤＣＣＨ領域では、基地局１００から中継局に向けたリソース割当を柔軟に行うことができる。これにより、Ｒ−ＰＤＣＣＨ領域の利用効率を向上させることができる。
【０１２６】
割当部１０８は、ＤＣＩをサーチスペース設定部１０３から受け取るサーチスペース情報が示す復号対象単位領域候補に割り当てる。こうして、ＤＣＩが、端末２００へ送信される。
【０１２７】
端末２００では、ＰＤＣＣＨ受信部２０７は、設定情報受信部２０６から受け取るサーチスペース領域情報の示す領域が、ＰＤＣＣＨ領域のみである場合、又は、ＰＤＣＣＨ領域及びＲ−ＰＤＣＣＨ領域である場合に、それぞれに対応するサーチスペース設定ルールに基づいて、ブラインド復号を行う。このサーチスペース設定ルールは、上記した基地局１００において用いられたサーチスペース設定ルール（例えば、図１１Ａ及び図１１Ｂ）に一致する。
【０１２８】
以上のように本実施の形態によれば、基地局１００において、サーチスペース設定部１０３が、複数の復号対象単位領域候補によって定義されるサーチスペースを設定する。このとき、復号対象単位領域候補を構成するＣＣＥの連結数（ＣＣＥ連結数）と、復号対象単位領域候補の数とが対応付けられており、サーチスペース設定部１０３は、送信すべき制御チャネルに応じて、復号対象単位領域候補を構成するＣＣＥの連結数（ＣＣＥ連結数）と復号対象単位領域候補の数との対応を異ならせる。具体的には、サーチスペース設定部１０３が、設定対象である制御チャネル（ＰＤＣＣＨ及びＲ−ＰＤＣＣＨ）に応じたサーチスペース設定ルールに基づいてサーチスペースを設定する。また、割当部１０８が、設定されたサーチスペースに含まれる複数の復号対象単位領域候補の内のいずれかに制御チャネル（すなわち、ＤＣＩ）を配置する。サーチスペースは、端末２００において復号の対象となる複数の復号対象単位領域候補から構成され、各復号対象単位領域候補は、１つ又は複数のＣＣＥ又はＲ−ＣＣＥ（制御チャネル要素）が連結されることによって構成される。
【０１２９】
そして、サーチスペース設定ルールでは、ＣＣＥについての複数の連結数のそれぞれに対する復号対象単位領域候補の数が対応付けられ、ＰＤＣＣＨ領域の第１のサーチスペース設定ルールとＲ−ＰＤＣＣＨ領域の第２のサーチスペース設定ルールとでは、ＣＣＥ（Ｒ−ＣＣＥ）についての複数の連結数に対する復号対象単位領域候補の数に関するパターンが互いに異なる。すなわち、ＰＤＣＣＨ領域とＲ−ＰＤＣＣＨ領域とでは、ＣＣＥ連結数（Ｒ−ＣＣＥ連結数）に対する復号対象単位領域候補の数に関するパターンが独立に規定される。より詳細には、ＰＤＣＣＨ領域の第１のサーチスペース設定ルールとＲ−ＰＤＣＣＨ領域の第２のサーチスペース設定ルールとでは、ＣＣＥ連結数に対する復号対象単位領域候補の分布のピーク位置が互いに異なる。
【０１３０】
こうすることで、基地局１００の配下の端末２００に向けたＤＣＩを、各リソース領域での通信品質に応じて用意された、ＣＣＥ連結数の復号対象単位領域候補を用いて効率よく送信することができる。更に、端末２００に向けたＤＣＩをＰＤＣＣＨ領域のみで送信する場合と、端末２００に向けたＤＣＩをＰＤＣＣＨ領域及びＲ−ＰＤＣＣＨ領域で送信する場合とで、サーチスペース設定ルールにおける復号対象単位領域候補の合計（つまり、端末２００のブラインド復号回数の合計）を同一にすることで、端末２００のブラインド復号回数を増加させることなく、ＤＣＩを効率良く送信することができる。
【０１３１】
また、第２のサーチスペース設定ルール（通信品質がより良いＲ−ＰＤＣＣＨ領域）では、第１のサーチスペース設定ルール（通信品質がより悪いＰＤＣＣＨ領域）のパターンと比べて、復号対象単位領域候補のＣＣＥ連結数に対する分布のピーク位置がＣＣＥ連結数の小さい方に存在する。つまり、ＰＤＣＣＨ領域及びＲ−ＰＤＣＣＨ領域の各サーチスペース設定ルールでのピーク位置のうち、通信品質が良い制御チャネルで用いられるサーチスペース設定ルールでのピーク位置が、通信品質がより悪い制御チャネルで用いられるサーチスペース設定ルールでのピーク位置よりも小さい方に存在する。
【０１３２】
こうすることで、ＰＤＣＣＨ領域よりも通信品質が良好であるＲ−ＰＤＣＣＨ領域では、所望の通信品質を満たすために必要十分のＣＣＥ連結数（ＰＤＣＣＨ領域でＤＣＩの送信に使用されやすいＣＣＥ連結数）に対するブラインド復号回数がより多く設定されるので、効率の良いＤＣＩの送信が可能となる。また、Ｒ−ＰＤＣＣＨ領域では基地局１００配下の端末２００に向けたＤＣＩをより小さいＣＣＥ連結数で用いる可能性が高くなり、結果として、Ｒ−ＰＤＣＣＨ領域の利用効率が向上するので、blocking probabilityが高くなることも防止することができる。
【０１３３】
また、端末２００において、ＰＤＣＣＨ受信部２０７が、サーチスペースに配置された制御チャネル（すなわち、ＤＣＩ）を受信し、サーチスペースを構成する複数の復号対象単位領域候補の内のいずれかに配置された自装置宛の制御チャネル（すなわち、ＤＣＩ）を復号する。つまり、ＰＤＣＣＨ受信部２０７が、サーチスペースを構成する複数の復号対象単位領域候補をモニタし、複数の復号対象候補の内のいずれかに配置された自装置宛の制御チャネルを復号する。具体的には、ＰＤＣＣＨ受信部２０７が、サーチスペース設定ルールに基づいてサーチスペースを設定すると共に、サーチスペースを構成する複数の復号対象単位領域候補のそれぞれをブラインド復号する。各復号対象単位領域候補は、１つ又は複数のＣＣＥ又はＲ−ＣＣＥ（制御チャネル要素）が連結されることによって構成される。
【０１３４】
そして、サーチスペース設定ルールでは、ＣＣＥについての複数の連結数のそれぞれに対する復号対象単位領域候補の数が対応付けられ、ＰＤＣＣＨ領域の第１のサーチスペース設定ルールと、Ｒ−ＰＤＣＣＨ領域の第２のサーチスペース設定ルールとでは、ＣＣＥについての複数の連結数に対する復号対象単位領域候補の数に関するパターンが互いに異なる。すなわち、ＰＤＣＣＨ領域と、Ｒ−ＰＤＣＣＨ領域とでは、ＣＣＥ連結数に対する復号対象単位領域候補の数に関するパターンが独立に規定される。
【０１３５】
こうすることで、基地局１００の配下の端末２００に向けたＤＣＩを、各領域での通信品質に応じて用意された、ＣＣＥ連結数の復号対象単位領域候補を用いて効率よく受信することができる。
【０１３６】
よって、本実施の形態によれば、基地局配下の端末に向けたＤＣＩをＰＤＣＣＨ領域及びＲ−ＰＤＣＣＨ領域を用いて送信する場合でも、端末のブラインド復号回数を増加させることなく、基地局におけるリソース割当の柔軟性低下を防ぐことができる。
【０１３７】
［実施の形態２］
実施の形態２では、ＰＤＣＣＨ領域とＲ−ＰＤＣＣＨ領域とで１ＣＣＥあたりのＲＥ数が異なる。
【０１３８】
実施の形態２に係る基地局及び端末の基本構成は、実施の形態１と共通するので、図９、１０を援用して説明する。
【０１３９】
実施の形態２の基地局１００において、設定部１０１は、端末２００向けのＤＣＩの送信に利用するリソース領域を設定する。設定されるリソース領域の候補には、ＰＤＣＣＨ領域と、Ｒ−ＰＤＣＣＨ領域とが含まれる。また、ここでは、１サブフレームにおいて設定されるリソース領域としては、ＰＤＣＣＨ領域のみである場合と、ＰＤＣＣＨ領域及びＲ−ＰＤＣＣＨ領域の双方である場合とがある。
【０１４０】
サーチスペース設定部１０３は、設定部１０１から受け取る設定情報の示す設定リソース領域に対応するサーチスペース設定ルールに基づいて、サーチスペースを設定する。リソース領域がＰＤＣＣＨ領域である場合に用いられるサーチスペース設定ルールと、リソース領域がＲ−ＰＤＣＣＨ領域である場合に用いられるサーチスペース設定ルールとでは、ＰＤＣＣＨ及びＲ−ＰＤＣＣＨをそれぞれ構成するＣＣＥあたりのＲＥ数が異なる場合に、ＣＣＥ連結数に対する復号対象単位領域候補の数に関するパターンが互いに異なっている。すなわち、ＰＤＣＣＨ領域とＲ−ＰＤＣＣＨ領域とでは、ＣＣＥ連結数に対する復号対象単位領域候補数（つまり、ブラインド復号回数）に関するパターンが、各制御チャネル（ＰＤＣＣＨ及びＲ−ＰＤＣＣＨ）を構成するＣＣＥあたりのＲＥ数に基づいて独立に規定される。
【０１４１】
図１３Ａ及び図１３Ｂは、本実施の形態に係るサーチスペース設定ルールの説明に供する図である。なお、図１３Ａに示す１サブフレームにおいて設定されるリソース領域がＰＤＣＣＨ領域のみである場合に用いられるサーチスペース設定ルールは、実施の形態１（図１１Ａ）と同様であるので、説明を省略する。
【０１４２】
また、ここでは、説明を簡略するため、ＣＣＥとＲ−ＣＣＥとを区別せず、単に「ＣＣＥ」と呼び、ＣＣＥ連結数とＲ−ＣＣＥ連結数とを区別せずに、単に「ＣＣＥ連結数」と呼ぶ。
【０１４３】
また、以下の説明では、実施の形態１と同様、１サブフレームにおいて各端末２００に設定されるＵＥ−ＳＳ内では、ＤＣＩフォーマット毎の各ＣＣＥ連結数（Ｌ＝１，２，４，８）に対する復号対象単位領域候補の合計を１６候補とする。また、実施の形態１と同様、端末２００（ＰＤＣＣＨ受信部２０７）は、ＵＥ−ＳＳに対して、３種類のＤＣＩフォーマットについてそれぞれブラインド復号する。つまり、１サブフレームにおいて各端末に設定されるＵＥ−ＳＳ内でのブラインド復号回数の合計は、設定部１０１で設定されるリソース領域に依らず、合計４８回（＝１６候補×３種）とする。
【０１４４】
また、１ＣＣＥあたりのＲＥ数（ＣＣＥを構成するＲＥ数）は、ＰＤＣＣＨの方がＲ−ＰＤＣＣＨよりも多い。例えば、ＰＤＣＣＨ領域では１ＣＣＥあたりのＲＥ数を３６個とし、Ｒ−ＰＤＣＣＨ領域では１ＣＣＥあたりのＲＥ数を１８個とする。
【０１４５】
また、１サブフレームにおいて設定されるリソース領域がＰＤＣＣＨ領域及びＲ−ＰＤＣＣＨ領域である場合において、１ＣＣＥあたりのＲＥ数の多いリソース領域及び１ＣＣＥあたりのＲＥ数の少ないリソース領域にて用いられるサーチスペース設定ルールを、それぞれ「第１のサーチスペース設定ルール」及び「第２のサーチスペース設定ルール」と呼ぶ。
【０１４６】
また、ここでは、実施の形態１に係る第２のサーチスペース設定ルール（図１１Ｂ）に示すように、Ｒ−ＰＤＣＣＨ領域では、ＣＣＥ連結数Ｌ＝１，２が必要十分なＣＣＥ連結数（Ｒ−ＰＤＣＣＨ領域でより多く使用される可能性が高いＣＣＥ連結数）であることを前提とする。ただし、実施の形態１に係るＲ−ＰＤＣＣＨ領域では１ＣＣＥあたりのＲＥ数を３６個とする。
【０１４７】
以下で「第１のサーチスペース設定ルール」及び「第２のサーチスペース設定ルール」について説明する。
【０１４８】
例えば、第１のサーチスペース設定ルール（ＰＤＣＣＨ領域）のパターンは、ＣＣＥ連結数１，２，４，８に対して、復号対象単位領域候補数２，２，２，２（合計８候補）というパターンである。すなわち、第１のサーチスペース設定ルールでは、図１３Ｂに示すように、ＣＣＥ連結数Ｌ＝１，２，４，８に対して、端末２００のブラインド復号回数６，６，６，６（合計２４回）となる。
【０１４９】
また、例えば、第２のサーチスペース設定ルール（Ｒ−ＰＤＣＣＨ領域）のパターンは、ＣＣＥ連結数１，２，４，８に対して、復号対象単位領域候補数１，３，３，１（合計８候補）というパターンである。すなわち、第２のサーチスペース設定ルールでは、図１３Ｂに示すように、ＣＣＥ連結数Ｌ＝１，２，４，８に対して、端末２００のブラインド復号回数３，９，９，３（合計２４回）となる。
【０１５０】
よって、ＰＤＣＣＨ領域およびＲ−ＰＤＣＣＨ領域での端末２００のブラインド復号回数の合計は４８回（＝２４回（ＰＤＣＣＨ領域）＋２４回（Ｒ−ＰＤＣＣＨ領域））となる。つまり、実施の形態１と同様、ＰＤＣＣＨ領域のみを設定する場合（図１３Ａ）と、ＰＤＣＣＨ領域及びＲ−ＰＤＣＣＨ領域を設定する場合（図１３Ｂ）とでは、端末２００のブラインド復号回数（４８回）は同一である。
【０１５１】
ここで、図１４は、図１２と同様、基地局１００における必要十分なＣＣＥ連結数の算出方法を示す図である。実施の形態１で説明したように、図１４に示す実際の通信品質（伝送品質）は、ＰＤＣＣＨ領域よりもＲ−ＰＤＣＣＨ領域の方が良好となる。よって、図１４では、所望の通信品質（例えばＢＬＥＲ＝１％）を必要十分に満足させるために必要な総ＲＥ数（＝ＣＣＥ連結数×１ＣＣＥあたりのＲＥ数）は、Ｒ−ＰＤＣＣＨ領域の方がＰＤＣＣＨ領域よりも少なくなる。すなわち、Ｒ−ＰＤＣＣＨ領域では、ＰＤＣＣＨ領域と比べて、より少ない総ＲＥ数に対応するＣＣＥ連結数で所望の通信品質を満足させることができる。
【０１５２】
ただし、図１４では、Ｒ−ＰＤＣＣＨ領域のＣＣＥを構成するＲＥ数（１８個）と、ＰＤＣＣＨ領域のＣＣＥを構成するＲＥ数（３６個）とは異なる。すなわち、ＰＤＣＣＨ領域とＲ−ＰＤＣＣＨ領域とでは、各ＣＣＥ連結数（Ｌ＝１，２，４又は８）に対応する復号対象単位領域候補を構成する総ＲＥ数（＝ＣＣＥ連結数×１ＣＣＥあたりのＲＥ数）は異なる。
【０１５３】
そこで、必要十分な総ＲＥ数が少ないＲ−ＰＤＣＣＨ領域では、ＰＤＣＣＨ領域に比べて、より小さい総ＲＥ数に対応するＣＣＥ連結数におけるブラインド復号回数（復号対象単位領域候補数）をより多くすることが望ましい。
【０１５４】
この要求は、図１３Ｂに示すサーチスペース設定ルールによって満たされている。すなわち、図１３Ｂに示すサーチスペース設定ルールでは、ＣＣＥあたりのＲＥ数に応じて、第１のサーチスペース設定ルール及び第２のサーチスペース設定ルールのパターンが決められている。そして、第２のサーチスペース設定ルールのパターンは、第１のサーチスペース設定ルールのパターンと比べると、各ＣＣＥ連結数に対応する復号対象単位領域候補をそれぞれ構成する総ＲＥ数に対する、サーチスペースに含まれる復号対象単位領域候補群の分布のピーク位置（つまり、重心）が上記総ＲＥ数の小さい方に存在している。
【０１５５】
「第２のサーチスペース設定ルールのパターンの、各ＣＣＥ連結数に対応する復号対象単位領域候補をそれぞれ構成する総ＲＥ数に対する、復号対象単位領域候補群の分布のピーク位置が、第１のサーチスペース設定ルールのパターンよりも、上記総ＲＥ数が小さい方にシフトしている」ことは、以下に示す事項を意味する。
【０１５６】
すなわち、ＣＣＥ連結数毎の総ＲＥ数の、ブラインド復号回数（復号対象単位領域候補数）に対する加重平均は、第１のサーチスペース設定ルールよりも、第２のサーチスペース設定ルールの方が小さいことを意味する。ＣＣＥ連結数毎の総ＲＥ数の、ブラインド復号回数（つまり、復号対象単位領域候補数）に対する加重平均は、次の式（２）によって表される。
【数２】
0005991633.tif 000003
【０１５７】
１ＣＣＥあたりのＲＥ数が、ＰＤＣＣＨ領域で３６個、Ｒ−ＰＤＣＣＨ領域で１８個であるので、上記した事項が満たされるか否かは、具体的には、次のように確かめられる。
【０１５８】
ＣＣＥ連結数毎の総ＲＥ数の、ブラインド復号回数に対する加重平均は、図１３Ｂに示す第１のサーチスペース設定ルールでは、（１×３６×６＋２×３６×６＋４×３６×６＋８×３６×６）／（６＋６＋６＋６）＝１３５となり、図１３Ｂに示す第２のサーチスペース設定ルールでは、（１×１８×３＋２×１８×９＋４×１８×９＋８×１８×３）／（３＋９＋９＋３）＝６０．７５となる。従って、“第１のサーチスペース設定ルール＞第２のサーチスペース設定ルール”の関係が満たされる。
【０１５９】
次いで、実施の形態１においてＲ−ＰＤＣＣＨ領域で用いられる第２のサーチスペース設定ルール（図１１Ｂ）と、本実施の形態においてＲ−ＰＤＣＣＨ領域で用いられる第２のサーチスペース設定ルール（図１３Ｂ）とを比較する。
【０１６０】
図１１Ｂ（１ＣＣＥあたりのＲＥ数＝３６個）では、Ｒ−ＰＤＣＣＨ領域のＣＣＥ連結数Ｌ＝１，２，４での総ＲＥ数（＝ＣＣＥ連結数×１ＣＣＥあたりのＲＥ数）はそれぞれ３６個（＝１×３６）、７２個（＝２×３６）、１４４個（＝４×３６）となる。また、図１３Ｂ（１ＣＣＥあたりのＲＥ数＝１８個）では、Ｒ−ＰＤＣＣＨ領域のＣＣＥ連結数Ｌ＝２，４，８での総ＲＥ数はそれぞれ３６個（＝２×１８）、７２個（＝４×１８）、１４４個（＝８×１８）となる。つまり、図１１Ｂに示すＲ−ＰＤＣＣＨ領域のＣＣＥ連結数Ｌ＝１，２，４での総ＲＥ数と、図１３Ｂに示すＲ−ＰＤＣＣＨ領域のＣＣＥ連結数Ｌ＝２，４，８での総ＲＥ数とは、それぞれ同数になる。
【０１６１】
これは、実施の形態１におけるＲ−ＰＤＣＣＨ領域と、本実施の形態におけるＲ−ＰＤＣＣＨ領域とでは１ＣＣＥあたりのＲＥ数が異なり、本実施の形態では、必要十分なＲＥ数を得るためには、実施の形態１に比べて、ＣＣＥ連結数を相対的に大きくする必要があるためである。
【０１６２】
よって、図１１ＢにおけるＲ−ＰＤＣＣＨ領域のＣＣＥ連結数Ｌ＝１，２が必要十分なＣＣＥ連結数であるのに対応して、図１３Ｂでは、ＣＣＥ連結数Ｌ＝２，４が必要十分なＣＣＥ連結数となる。
【０１６３】
つまり、図１３Ｂに示すサーチスペース設定ルールにおいて、ＰＤＣＣＨ領域及びＲ−ＰＤＣＣＨ領域のうち、通信品質がより劣悪であるＰＤＣＣＨ領域内では、ＤＣＩの送信に使用される可能性が低い、小さいＣＣＥ連結数（Ｌ＝１，２）に対するブラインド復号回数（つまり、復号対象単位領域候補数）を優先して削減している。また、図１３Ｂに示すサーチスペース設定ルールにおいて、ＰＤＣＣＨ領域及びＲ−ＰＤＣＣＨ領域のうち、通信品質がより良好であるＲ−ＰＤＣＣＨ領域内では、ＤＣＩの送信に使用される可能性が高いＣＣＥ連結数（Ｌ＝２，４）に対するブラインド復号回数（つまり、復号対象単位領域候補数）を優先的に多くしている。
【０１６４】
このように、図１３Ｂに示すサーチスペース設定ルールでは、ＰＤＣＣＨ領域及びＲ−ＰＤＣＣＨ領域の各々のリソース領域でＤＣＩの送信に使用されやすいＣＣＥ連結数に対して、復号対象単位領域候補（つまり、ブラインド復号回数）がより多く設定される。これにより、基地局１００は、ＰＤＣＣＨ領域およびＲ−ＰＤＣＣＨ領域に、端末２００向けのＤＣＩを柔軟に割り当てることが可能となる。
【０１６５】
また、前述したように、図１３Ｂでは、ＣＣＥ連結数毎の総ＲＥ数のブラインド復号回数に対する加重平均は、“第１のサーチスペース設定ルール＞第２のサーチスペース設定ルール”の関係を満たす。つまり、Ｒ−ＰＤＣＣＨ領域では、ＰＤＣＣＨ領域と比較して、使用される総ＲＥ数を平均的に小さくできる。よって、Ｒ−ＰＤＣＣＨ領域における基地局１００配下の端末２００向けのＤＣＩに用いられるリソースをより小さくすることで、Ｒ−ＰＤＣＣＨ領域では、基地局１００から中継局に向けたリソース割当を柔軟に行うことができる。これにより、Ｒ−ＰＤＣＣＨ領域の利用効率を向上させることができる。
【０１６６】
割当部１０８は、ＤＣＩをサーチスペース設定部１０３から受け取るサーチスペース情報が示す復号対象単位領域候補に割り当てる。こうして、ＤＣＩが、端末２００へ送信される。
【０１６７】
端末２００では、ＰＤＣＣＨ受信部２０７は、設定情報受信部２０６から受け取るサーチスペース領域情報の示す領域がＰＤＣＣＨ領域又はＲ−ＰＤＣＣＨ領域の場合に、それぞれに対応するサーチスペース設定ルールに基づいて、ブラインド復号を行う。このサーチスペース設定ルールは、上記した基地局１００において用いられたサーチスペース設定ルール（例えば、図１３Ａ及び図１３Ｂ）に一致する。
【０１６８】
以上のように本実施の形態によれば、基地局１００において、サーチスペース設定部１０３が、複数の復号対象単位領域候補によって定義されるサーチスペースを設定する。このとき、復号対象単位領域候補を構成するＣＣＥの連結数（ＣＣＥ連結数）と、復号対象単位領域候補の数とが対応付けられており、サーチスペース設定部１０３は、送信すべき制御チャネルに応じて、復号対象単位領域候補を構成するＣＣＥの連結数（ＣＣＥ連結数）と復号対象単位領域候補の数との対応を異ならせる。具体的には、サーチスペース設定部１０３が、設定対象であるＰＤＣＣＨ領域及びＲ−ＰＤＣＣＨ領域にそれぞれ応じたサーチスペース設定ルールに基づいてサーチスペースを設定する。このとき、ＰＤＣＣＨ領域の第１のサーチスペース設定ルールとＲ−ＰＤＣＣＨ領域の第２のサーチスペース設定ルールとでは、各ＣＣＥ連結数に対応する復号対象単位領域候補をそれぞれ構成するＲＥ数に対する、復号対象単位領域候補の分布のピーク位置が互いに異なる。
【０１６９】
また、通信品質がより良いＲ−ＰＤＣＣＨ領域で用いられる第２のサーチスペース設定ルールでは、通信品質がより悪いＰＤＣＣＨ領域で用いられる第１のサーチスペース設定ルールのパターンと比べて、各ＣＣＥ連結数に対応する復号対象単位領域候補をそれぞれ構成する総ＲＥ数に対する、復号対象単位領域候補の分布のピーク位置が上記総ＲＥ数の小さい方に存在する。
【０１７０】
こうすることで、ＰＤＣＣＨ領域とＲ−ＰＤＣＣＨ領域とで１ＣＣＥあたりのＲＥ数が異なる場合でも、基地局配下の端末向けのＤＣＩをＰＤＣＣＨ領域及びＲ−ＰＤＣＣＨ領域を用いて送信する際に、端末のブラインド復号回数を増加させることなく、基地局におけるリソース割当の柔軟性低下を防ぐことができる。
【０１７１】
なお、本実施の形態では、Ｒ−ＰＤＣＣＨ領域の１ＣＣＥあたりのＲＥ数を３６個とする場合（実施の形態１）におけるＣＣＥ連結数Ｌ＝１，２を、必要十分なＣＣＥ連結数（Ｒ−ＰＤＣＣＨ領域でより多く使用される可能性が高いＣＣＥ連結数）とする場合について説明した。しかし、本実施の形態では、これに限らず、例えば、Ｒ−ＰＤＣＣＨ領域の１ＣＣＥあたりのＲＥ数を３６個する場合（実施の形態１）におけるＣＣＥ連結数Ｌ＝１（総ＲＥ数＝３６個）を、必要十分なＣＣＥ連結数（より多く使用される可能性が高いＣＣＥ連結数）であるとしてもよい。この場合、Ｒ−ＰＤＣＣＨ領域の１ＣＣＥあたりのＲＥ数が１８個の場合には、ＣＣＥ連結数Ｌ＝１，２（総ＲＥ数＝１８個、３６個。つまり、総ＲＥ数が３６個以下に対応するＣＣＥ連結数）を、必要十分なＣＣＥ連結数（より多く使用される可能性が高いＣＣＥ連結数）であるとすればよい。よって、基地局１００は、Ｒ−ＰＤＣＣＨ領域の１ＣＣＥあたりのＲＥ数が１８個の場合のＣＣＥ連結数Ｌ＝１，２に対する復号対象単位領域候補数（つまり、ブラインド復号回数）をより多く設定すればよい。
【０１７２】
また、本実施の形態ではＰＤＣＣＨ領域の１ＣＣＥあたりのＲＥ数が３６個、Ｒ−ＰＤＣＣＨ領域の１ＣＣＥあたりのＲＥ数が１８個の場合について説明したが、本発明はこれに限定されない。例えば、Ｒ−ＰＤＣＣＨ領域の１ＣＣＥあたりのＲＥ数が、ＰＤＣＣＨ領域の１ＣＣＥあたりのＲＥ数より大きい場合であったとしても、「第２のサーチスペース設定ルールのパターンの、各ＣＣＥ連結数に対応する復号対象単位領域候補をそれぞれ構成する総ＲＥ数に対する、復号対象単位領域候補群の分布のピーク位置が、第１のサーチスペース設定ルールのパターンよりも、上記総ＲＥ数が小さい方にシフトしている」ことが満たされている限り（すなわち、式（２）が満たされている限り）、本発明の効果を得ることができる。
【０１７３】
［実施の形態３］
実施の形態３では、実施の形態２と同様、ＰＤＣＣＨ領域とＲ−ＰＤＣＣＨ領域とで１ＣＣＥ（又は１Ｒ−ＣＣＥ）あたりのＲＥ数が異なるのに加え、更に、ＰＤＣＣＨ領域とＲ−ＰＤＣＣＨ領域とで端末が受信すべきＤＣＩのペイロードサイズ（payload size又はInformation size。以下、ＤＣＩサイズと呼ぶ）が異なる。
【０１７４】
実施の形態３に係る基地局及び端末の基本構成は、実施の形態１と共通するので、図９、１０を援用して説明する。
【０１７５】
実施の形態３の基地局１００において、設定部１０１は、端末２００向けのＤＣＩの送信に利用するリソース領域を設定する。設定されるリソース領域の候補には、ＰＤＣＣＨ領域と、Ｒ−ＰＤＣＣＨ領域とが含まれる。また、ここでは、１サブフレームにおいて設定されるリソース領域としては、ＰＤＣＣＨ領域のみである場合と、ＰＤＣＣＨ領域及びＲ−ＰＤＣＣＨ領域の双方である場合とがある。
【０１７６】
サーチスペース設定部１０３は、設定部１０１から受け取る設定情報の示す設定リソース領域に対応するサーチスペース設定ルールに基づいて、サーチスペースを設定する。リソース領域がＰＤＣＣＨ領域である場合に用いられるサーチスペース設定ルールと、リソース領域がＲ−ＰＤＣＣＨ領域である場合に用いられるサーチスペース設定ルールとでは、ＣＣＥ連結数に対する復号対象単位領域候補の数（つまり、端末２００のブラインド復号回数）に関するパターンが、「ＤＣＩ１ビットの送信（制御チャネルのＤＣＩの単位ビットあたりの送信）に必要なリソース数（ＲＥ数）」に基づいて、互いに異なっている。すなわち、ＰＤＣＣＨ領域と、Ｒ−ＰＤＣＣＨ領域とでは、ＣＣＥ連結数に対する復号対象単位領域候補の数に関するパターンが、「ＤＣＩ１ビットの送信に必要なリソース数（ＲＥ数）」に基づいて独立に規定される。「ＤＣＩ１ビットの送信に必要なリソース数（ＲＥ数）」とは、例えば、「ＣＣＥ連結数毎の総ＲＥ数（＝ＣＣＥ連結数×ＣＣＥあたりのＲＥ数）／ＤＣＩサイズ」で表される。
【０１７７】
図１５Ａ及び図１５Ｂは、本実施の形態に係るサーチスペース設定ルールの説明に供する図である。なお、図１５Ａに示す１サブフレームにおいて設定されるリソース領域がＰＤＣＣＨ領域のみである場合に用いられるサーチスペース設定ルールは、実施の形態１（図１１Ａ）と同様であるので、説明を省略する。
【０１７８】
また、ここでは、説明を簡略するため、ＣＣＥとＲ−ＣＣＥとを区別せず、単に「ＣＣＥ」と呼び、ＣＣＥ連結数とＲ−ＣＣＥ連結数とを区別せずに、単に「ＣＣＥ連結数」と呼ぶ。
【０１７９】
また、以下の説明では、実施の形態１と同様、端末２００（ＰＤＣＣＨ受信部２０７）は、ＵＥ−ＳＳに対して、３種類のＤＣＩフォーマットについてそれぞれブラインド復号し、１サブフレームにおいて各端末に設定されるＵＥ−ＳＳ内でのブラインド復号回数の合計を、合計４８回とする。ただし、実施の形態１及び実施の形態２では、ＰＤＣＣＨ領域及びＲ−ＰＤＣＣＨ領域の双方で３種類のＤＣＩフォーマットについてブラインド復号した。これに対し、本実施の形態では、ＰＤＣＣＨ領域では一部のＤＣＩフォーマット（例えば１種類）についてブラインド復号され、Ｒ−ＰＤＣＣＨ領域では残りのＤＣＩフォーマット（例えば２種類）についてブラインド復号される。このため、端末２００におけるブラインド復号対象のＤＣＩフォーマットが各リソース領域で異なるので、ＰＤＣＣＨ領域及びＲ−ＰＤＣＣＨ領域では、ＤＣＩサイズが互いに異なる。
【０１８０】
例えば、ここでは、ＰＤＣＣＨで送信されるＤＣＩのサイズよりもＲ−ＰＤＣＣＨで送信されるＤＣＩのサイズの方が大きい。例えば、ＰＤＣＣＨ領域でのＤＣＩサイズを４２ビットとし、Ｒ−ＰＤＣＣＨ領域でのＤＣＩサイズを６０ビットとする。
【０１８１】
また、１ＣＣＥあたりのＲＥ数（ＣＣＥを構成するＲＥ数）は、ＰＤＣＣＨの方がＲ−ＰＤＣＣＨよりも多い。例えば、ＰＤＣＣＨ領域では１ＣＣＥあたりのＲＥ数を３６個とし、Ｒ−ＰＤＣＣＨ領域では１ＣＣＥあたりのＲＥ数を１８個とする。
【０１８２】
また、１サブフレームにおいて設定されるリソース領域がＰＤＣＣＨ領域及びＲ−ＰＤＣＣＨ領域である場合において、ＰＤＣＣＨ領域及びＲ−ＰＤＣＣＨ領域にて用いられるサーチスペース設定ルールを、それぞれ「第１のサーチスペース設定ルール」及び「第２のサーチスペース設定ルール」と呼ぶ。
【０１８３】
また、ここでは、実施の形態１に係る第２のサーチスペース設定ルール（図１１Ｂ）に示すように、Ｒ−ＰＤＣＣＨ領域では、ＣＣＥ連結数Ｌ＝１，２が必要十分なＣＣＥ連結数（Ｒ−ＰＤＣＣＨ領域でより多く使用される可能性が高いＣＣＥ連結数）であることを前提とする。ただし、実施の形態１に係るＲ−ＰＤＣＣＨ領域では、１ＣＣＥあたりのＲＥ数を３６個とし、ＤＣＩサイズを６０ビットとする。
【０１８４】
以下で「第１のサーチスペース設定ルール」及び「第２のサーチスペース設定ルール」について説明する。
【０１８５】
例えば、第１のサーチスペース設定ルール（ＰＤＣＣＨ領域）のパターンは、図１５Ｂに示すように、ＣＣＥ連結数Ｌ＝１，２，４，８に対して、端末２００のブラインド復号回数６，６，６，６（合計２４回）となる。一方、第２のサーチスペース設定ルール（Ｒ−ＰＤＣＣＨ領域）のパターンは、図１５Ｂに示すように、ＣＣＥ連結数Ｌ＝１，２，４，８に対して、端末２００のブラインド復号回数４，８，８，４（合計２４回）となる。
【０１８６】
よって、ＰＤＣＣＨ領域およびＲ−ＰＤＣＣＨ領域での端末２００のブラインド復号回数の合計は４８回（＝２４回（ＰＤＣＣＨ領域）＋２４回（Ｒ−ＰＤＣＣＨ領域））となる。つまり、実施の形態１と同様、ＰＤＣＣＨ領域のみを設定する場合（図１５Ａ）と、ＰＤＣＣＨ領域及びＲ−ＰＤＣＣＨ領域を設定する場合（図１５Ｂ）とでは、端末２００のブラインド復号回数（４８回）は同一である。
【０１８７】
ここで、図１６は、図１２と同様、基地局１００における必要十分なＣＣＥ連結数の算出方法を示す図である。実施の形態１で説明したように、図１６に示す実際の通信品質（伝送品質）は、ＰＤＣＣＨ領域よりもＲ−ＰＤＣＣＨ領域の方が良好となる。よって、図１６では、「ＤＣＩ１ビットの送信に必要なリソース数（ＲＥ数）：総ＲＥ数／ＤＣＩサイズ」は、Ｒ−ＰＤＣＣＨ領域の方がＰＤＣＣＨ領域よりも少なくなる。すなわち、Ｒ−ＰＤＣＣＨ領域では、ＰＤＣＣＨ領域と比べて、より少ない「ＤＣＩ１ビットの送信に必要なリソース数（ＲＥ数）：総ＲＥ数／ＤＣＩサイズ」で所望の通信品質を満足させることができる。換言すると、Ｒ−ＰＤＣＣＨ領域では、ＰＤＣＣＨ領域と比べて、より高い符号化率（より少ない冗長度）で所望の通信品質を満足させることができる。
【０１８８】
ただし、図１６では、Ｒ−ＰＤＣＣＨ領域のＣＣＥを構成するＲＥ数（１８個）と、ＰＤＣＣＨ領域のＣＣＥを構成するＲＥ数（３６個）とは異なる。また、図１６では、Ｒ−ＰＤＣＣＨ領域のＤＣＩサイズ（６０ビット）と、ＰＤＣＣＨ領域のＤＣＩサイズ（４２ビット）とは異なる。すなわち、ＰＤＣＣＨ領域とＲ−ＰＤＣＣＨ領域とでは、同程度の「ＤＣＩ１ビットの送信に必要なリソース数（ＲＥ数）：総ＲＥ数／ＤＣＩサイズ」に対応するＣＣＥ連結数は異なる。
【０１８９】
そこで、Ｒ−ＰＤＣＣＨ領域では、ＰＤＣＣＨ領域に比べて、より少ない「１ビットの情報の送信に必要なＲＥ数（総ＲＥ数／ＤＣＩサイズ）」に対応するＣＣＥ連結数におけるブラインド復号回数（復号対象単位領域候補数）をより多くすることが望ましい。換言すると、Ｒ−ＰＤＣＣＨ領域では、ＰＤＣＣＨ領域に比べて、より高い符号化率に対応するＣＣＥ連結数におけるブラインド復号回数（復号対象単位領域候補数）をより多くすることが望ましい。
【０１９０】
この要求は、図１５Ｂに示すサーチスペース設定ルールによって満たされている。すなわち、図１５Ｂに示すサーチスペース設定ルールでは、「総ＲＥ数／ＤＣＩサイズ」に応じて、第１のサーチスペース設定ルール及び第２のサーチスペース設定ルールのパターンが決められている。そして、第２のサーチスペース設定ルールのパターンは、第１のサーチスペース設定ルールのパターンと比べると、「各ＣＣＥ連結数に対応する復号対象単位領域候補において、ＤＣＩ１ビットの送信（制御チャネルのＤＣＩの単位ビットあたりの送信）に要するＲＥ数」に対する、サーチスペースに含まれる復号対象単位領域候補群の分布のピーク位置（つまり、重心）が、上記「ＤＣＩ１ビットの送信に要するＲＥ数」の小さい方に存在している。
【０１９１】
「第２のサーチスペース設定ルールのパターンの、「「各ＣＣＥ連結数に対応する復号対象単位領域候補において、ＤＣＩ１ビットの送信に要するＲＥ数」に対する、復号対象単位領域候補の分布のピーク位置が、第１のサーチスペース設定ルールのパターンよりも、「ＤＣＩ１ビットの送信に要するＲＥ数」が小さい方にシフトしている」ことは、以下に示す事項を意味する。
【０１９２】
すなわち、「ＤＣＩ１ビットの送信に要するＲＥ数（＝ＣＣＥ連結数毎の総ＲＥ数／ＤＣＩサイズ）」の、ブラインド復号回数（復号対象単位領域候補数）に対する加重平均は、第１のサーチスペース設定ルールよりも、第２のサーチスペース設定ルールの方が小さいことを意味する。「ＣＣＥ連結数毎の総ＲＥ数／ＤＣＩサイズ」の、ブラインド復号回数（つまり、復号対象単位領域候補数）に対する加重平均は、次の式（３）によって表される。
【数３】
0005991633.tif 000004
【０１９３】
１ＣＣＥあたりのＲＥ数が、ＰＤＣＣＨ領域で３６個、Ｒ−ＰＤＣＣＨ領域で１８個であり、ＤＣＩサイズが、ＰＤＣＣＨ領域で４２ビット、Ｒ−ＰＤＣＣＨ領域で６０ビットであるので、上記した事項が満たされるか否かは、具体的には、次のように確かめられる。
【０１９４】
「ＣＣＥ連結数毎の総ＲＥ数／ＤＣＩビット」の、ブラインド復号回数に対する加重平均は、図１５Ｂに示す第１のサーチスペース設定ルールでは、（１×３６×６＋２×３６×６＋４×３６×６＋８×３６×６）／（（６＋６＋６＋６）×４２）≒３．２１となり、図１５Ｂに示す第２のサーチスペース設定ルールでは、（１×１８×４＋２×１８×８＋４×１８×８＋８×１８×４）／（（３＋９＋９＋３）×６０）＝１．０５となる。従って、“第１のサーチスペース設定ルール＞第２のサーチスペース設定ルール”の関係が満たされる。
【０１９５】
次いで、実施の形態１においてＲ−ＰＤＣＣＨ領域で用いられる第２のサーチスペース設定ルール（図１１Ｂ）と、本実施の形態においてＲ−ＰＤＣＣＨ領域で用いられる第２のサーチスペース設定ルール（図１５Ｂ）とを比較する。
【０１９６】
ここで、実施の形態１におけるＲ−ＰＤＣＣＨ領域と、本実施の形態におけるＲ−ＰＤＣＣＨ領域とでは１ＣＣＥあたりのＲＥ数が異なり、ＤＣＩサイズが異なる。つまり、実施の形態１におけるＲ−ＰＤＣＣＨ領域と、本実施の形態におけるＲ−ＰＤＣＣＨ領域とでは、各ＣＣＥ連結数での「ＤＣＩ１ビットの送信に用いるＲＥ数（＝ＣＣＥ連結数×１ＣＣＥあたりのＲＥ数／ＤＣＩサイズ）」が異なる。具体的には、図１１Ｂでは、「ＤＣＩ１ビットの送信に用いるＲＥ数」は（ＣＣＥ連結数×３６／４２）となり、図１５Ｂでは、「ＤＣＩ１ビットの送信に用いるＲＥ数」は（ＣＣＥ連結数×１８／６０）となる。つまり、「ＤＣＩ１ビットの送信に用いるＲＥ数」は、本実施の形態（図１５Ｂ）の方が実施の形態１（図１１Ｂ）よりも少ない。よって、本実施の形態では、ＤＣＩ１ビットの送信に必要なリソース数（ＲＥ数）を得るためには、実施の形態１に比べて、ＣＣＥ連結数を相対的に大きくする必要がある。
【０１９７】
よって、図１１Ｂでは、Ｒ−ＰＤＣＣＨ領域のＣＣＥ連結数Ｌ＝１，２が必要十分なＣＣＥ連結数であるのに対応して、図１５Ｂでは、ＣＣＥ連結数Ｌ＝２，４が必要十分なＣＣＥ連結数となる。
【０１９８】
つまり、図１５Ｂに示すサーチスペース設定ルールにおいて、ＰＤＣＣＨ領域及びＲ−ＰＤＣＣＨ領域のうち、通信品質がより劣悪であるＰＤＣＣＨ領域内では、ＤＣＩの送信に使用される可能性が低いＣＣＥ連結数（Ｌ＝１，２）に対するブラインド復号回数（つまり、復号対象単位領域候補数）を優先して削減している。また、図１５Ｂに示すサーチスペース設定ルールにおいて、ＰＤＣＣＨ領域及びＲ−ＰＤＣＣＨ領域のうち、通信品質がより良好であるＲ−ＰＤＣＣＨ領域内では、ＤＣＩの送信に使用される可能性が高いＣＣＥ連結数（Ｌ＝２，４）に対するブラインド復号回数（つまり、復号対象単位領域候補数）を優先的に多くしている。
【０１９９】
これにより、基地局１００は、ＰＤＣＣＨ領域およびＲ−ＰＤＣＣＨ領域に、端末２００向けのＤＣＩを柔軟に割り当てることが可能となる。
【０２００】
また、前述したように、図１５Ｂでは、「ＣＣＥ連結数毎の総ＲＥ数／ＤＣＩサイズ」のブラインド復号回数に対する加重平均は、“第１のサーチスペース設定ルール＞第２のサーチスペース設定ルール”の関係を満たす。つまり、Ｒ−ＰＤＣＣＨ領域では、ＰＤＣＣＨ領域と比較して、使用される「総ＲＥ数／ＤＣＩサイズ」を平均的に小さくできる。換言すると、Ｒ−ＰＤＣＣＨ領域では、ＰＤＣＣＨ領域と比較して、符号化率の平均（「総ＲＥ数／ＤＣＩサイズ」の逆数に比例する値）を高くできる。よって、Ｒ−ＰＤＣＣＨ領域における基地局１００配下の端末２００向けのＤＣＩに用いられるリソースをより小さくすることで、Ｒ−ＰＤＣＣＨ領域では、基地局１００から中継局に向けたリソース割当を柔軟に行うことができる。これにより、Ｒ−ＰＤＣＣＨ領域の利用効率を向上させることができる。
【０２０１】
割当部１０８は、ＤＣＩをサーチスペース設定部１０３から受け取るサーチスペース情報が示す復号対象単位領域候補に割り当てる。こうして、ＤＣＩが、端末２００へ送信される。
【０２０２】
端末２００では、ＰＤＣＣＨ受信部２０７は、設定情報受信部２０６から受け取るサーチスペース領域情報の示す領域がＰＤＣＣＨ領域又はＲ−ＰＤＣＣＨ領域の場合に、それぞれに対応するサーチスペース設定ルールに基づいて、ブラインド復号を行う。このサーチスペース設定ルールは、上記した基地局１００において用いられたサーチスペース設定ルール（例えば、図１５Ａ及び図１５Ｂ）に一致する。
【０２０３】
以上のように本実施の形態によれば、基地局１００において、サーチスペース設定部１０３が、複数の復号対象単位領域候補によって定義されるサーチスペースを設定する。このとき、復号対象単位領域候補を構成するＣＣＥの連結数（ＣＣＥ連結数）と、復号対象単位領域候補の数とが対応付けられており、サーチスペース設定部１０３は、送信すべき制御チャネルに応じて、復号対象単位領域候補を構成するＣＣＥの連結数（ＣＣＥ連結数）と復号対象単位領域候補の数との対応を異ならせる。具体的には、サーチスペース設定部１０３が、設定対象であるＰＤＣＣＨ領域及びＲ−ＰＤＣＣＨ領域にそれぞれ応じたサーチスペース設定ルールに基づいてサーチスペースを設定する。このとき、ＰＤＣＣＨ領域の第１のサーチスペース設定ルールとＲ−ＰＤＣＣＨ領域の第２のサーチスペース設定ルールとでは、各ＣＣＥ連結数に対応する復号対象単位領域候補において、制御チャネルのＤＣＩの単位ビットあたりの送信に要するＲＥ数に対する、復号対象単位領域候補の分布のピーク位置が互いに異なる。
【０２０４】
また、通信品質がより良いＲ−ＰＤＣＣＨ領域で用いられる第２のサーチスペース設定ルールでは、通信品質がより悪いＰＤＣＣＨ領域で用いられる第１のサーチスペース設定ルールのパターンと比べて、「各ＣＣＥ連結数に対応する復号対象単位領域候補において、ＤＣＩの単位ビットあたりの送信に要するＲＥ数」に対する、復号対象単位領域候補の分布のピーク位置が、上記「ＤＣＩの単位ビットあたりの送信に要するＲＥ数」の小さい方に存在する。
【０２０５】
こうすることで、ＰＤＣＣＨ領域とＲ−ＰＤＣＣＨ領域とでＤＣＩサイズが異なる場合でも、基地局配下の端末向けのＤＣＩをＰＤＣＣＨ領域及びＲ−ＰＤＣＣＨ領域を用いて送信する際に、端末のブラインド復号回数を増加させることなく、基地局におけるリソース割当の柔軟性低下を防ぐことができる。
【０２０６】
なお、本実施の形態ではＰＤＣＣＨ領域の１ＣＣＥあたりのＲＥ数が３６個かつＤＣＩサイズが４２ビット、Ｒ−ＰＤＣＣＨ領域の１ＣＣＥあたりのＲＥ数が１８個かつＤＣＩサイズが６０ビットの場合について説明したが、本発明はこれに限定されない。例えば、Ｒ−ＰＤＣＣＨ領域のＤＣＩサイズが４２ビットで、ＰＤＣＣＨ領域のＤＣＩサイズが６０ビットであったとしても、「「各ＣＣＥ連結数に対応する復号対象単位領域候補において、ＤＣＩ１ビットの送信に要するＲＥ数」に対する、復号対象単位領域候補の分布のピーク位置が、第１のサーチスペース設定ルールのパターンよりも、「ＤＣＩ１ビットの送信に要するＲＥ数」が小さい方にシフトしている」ことが満たされている限り（すなわち、式（３）が満たされている限り）、本発明の効果を得ることができる。
【０２０７】
以上、本発明の各実施の形態について説明した。
【０２０８】
［他の実施の形態］
（１）なお、上記実施の形態では、端末向けのＤＣＩの送信に利用するリソース領域がＰＤＣＣＨ領域のみの場合と、ＰＤＣＣＨ領域及びＲ−ＰＤＣＣＨ領域の双方の場合とで、端末のブラインド復号回数を同一にする場合について説明した。しかし、本発明では、これに限らず、例えば、端末向けのＤＣＩの送信に利用するリソース領域がＰＤＣＣＨ領域及びＲ−ＰＤＣＣＨ領域の双方の場合では、リソース領域がＰＤＣＣＨ領域のみの場合よりも、端末のブラインド復号回数（つまり、復号対象単位領域候補数）を増加させてもよい。これにより、基地局では、端末向けのＤＣＩ割当の柔軟性を更に向上させることができる。
【０２０９】
（２）上記各実施の形態ではアンテナとして説明したが、本発明はアンテナポート（antenna port）でも同様に適用できる。
【０２１０】
アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０２１１】
例えば3GPP LTEにおいては、アンテナポートが何本の物理アンテナから構成されるかは規定されず、基地局が異なる参照信号（Reference signal）を送信できる最小単位として規定されている。
【０２１２】
また、アンテナポートはプリコーディングベクトル（Precoding vector）の重み付けを乗算する最小単位として規定されることもある。
【０２１３】
（３）上記各実施の形態では、本発明をハードウェアで構成する場合を例にとって説明したが、本発明はハードウェアとの連携においてソフトウェアでも実現することも可能である。
【０２１４】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２１５】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０２１６】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０２１７】
２０１０年７月２１日出願の特願２０１０−１６４３０８の日本出願に含まれる明細書、図面および要約書の開示内容は、すべて本願に援用される。
【産業上の利用可能性】
【０２１８】
本発明は、下り割当制御情報を効率良く伝送することができるものとして有用である。
【符号の説明】
【０２１９】
１００  基地局
１０１  設定部
１０２  制御部
１０３  サーチスペース設定部
１０４  ＰＤＣＣＨ生成部
１０５，１０６，１０７  符号化・変調部
１０８  割当部
１０９  多重部
１１０，２１３  ＩＦＦＴ部
１１１，２１４  ＣＰ付加部
１１２，２１５  送信ＲＦ部
１１３，２０１  アンテナ
１１４，２０２  受信ＲＦ部
１１５，２０３  ＣＰ除去部
１１６，２０４  ＦＦＴ部
１１７  抽出部
１１８  ＩＤＦＴ部
１１９  データ受信部
１２０  ＡＣＫ／ＮＡＣＫ受信部
１３１  送信領域設定部
１３２  送信モード設定部
２００  端末
２０５  分離部
２０６  設定情報受信部
２０７  ＰＤＣＣＨ受信部
２０８  ＰＤＳＣＨ受信部
２０９，２１０  変調部
２１１  ＤＦＴ部
２１２  マッピング部
【図１】
0005991633.tif 000005
【図２】
0005991633.tif 000006
【図３】
0005991633.tif 000007
【図４】
0005991633.tif 000008
【図５】
0005991633.tif 000009
【図６】
0005991633.tif 000010
【図７】
0005991633.tif 000011
【図８】
0005991633.tif 000012
【図９】
0005991633.tif 000013
【図１０】
0005991633.tif 000014
【図１１】
0005991633.tif 000015
【図１２】
0005991633.tif 000016
【図１３】
0005991633.tif 000017
【図１４】
0005991633.tif 000018
【図１５】
0005991633.tif 000019
【図１６】
0005991633.tif 000020